(57)【要約】  拡張および／または仮想現実環境を経験するためのヘッドセットは、内部の空隙を規定する筐体を含み得る。光学部品が筐体の内部の空隙に収容され得る。フロントフェイスは、筐体の内部を選択的に囲むように筐体の前方部分に回転可能に連結され得る。ディスプレイを含むコンピューティングデバイスは、筐体の前方部分とフロントフェイスとの間に規定されたスロットに収容され得る。フェイスパッドは、筐体において光学部品を囲むようにフロントフェイスの反対側において、筐体に可動に連結され得る。ユーザは、筐体に収容された光学部品を介してディスプレイ上に表示された拡張／仮想現実環境を観察し得る。調整可能なヘッドストラップアセンブリは、ヘッドセットをユーザの頭上に調整可能に位置決めし得る。
2019532341.tif 000002
【特許請求の範囲】
【請求項１】
ヘッドセットであって、
内部の空隙を規定する筐体と、
前記筐体の前記内部の空隙に配置された光学部品と、
前記筐体の前方部分に回転可能に連結されたフロントフェイスと、
前記筐体に対して相対的な閉鎖位置にある前記フロントフェイスを締結する締結装置と、
前記筐体の前記前方部分と前記筐体に対して相対的な前記フロントフェイスの前記閉鎖位置にある前記フロントフェイスとの間に規定されたスロットとを備え、前記スロットは、ディスプレイを含むコンピューティングデバイスを収容するように構成され、前記ヘッドセットはさらに、
前記フロントフェイスに配置された少なくとも１つの近距離無線通信（ＮＦＣ）タグと、
前記筐体に取外し可能に連結されたフェイスパッドと、
前記筐体に連結された調整可能なヘッドストラップアセンブリとを備える、ヘッドセット。
【請求項２】
前記調整可能なヘッドストラップアセンブリは、ヘッドストラップを含み、前記ヘッドストラップは、
前記筐体の第１の上方側面部分に連結された第１の端部、および、第１のクリップに連結された第２の端部を有する第１の部分と、
前記筐体の第２の上方側面部分に連結された第１の端部、および、第２のクリップに連結された第２の端部を有する第２の部分と、
前記ヘッドストラップの前記第１の部分および前記第２の部分が部分的に重なり合う重なり部分とを含む、請求項１に記載のヘッドセット。
【請求項３】
前記第１のクリップは、前記ヘッドストラップの前記第１の部分の前記第２の端部に固定して連結され、前記ヘッドストラップの前記第２の部分は、前記第１のクリップに可動に連結され、
前記第２のクリップは、前記ヘッドストラップの前記第２の部分の前記第２の端部に固定して連結され、前記ヘッドストラップの前記第１の部分は、前記第２のクリップに可動に連結され、
前記重なり部分は、前記第１のクリップと前記第２のクリップとの間に規定される、請求項２に記載のヘッドセット。
【請求項４】
前記ヘッドストラップは、可撓性があり非弾性的な材料でできている、請求項２に記載のヘッドセット。
【請求項５】
前記フェイスパッドを前記筐体に取外し可能に連結する連結機構をさらに備え、前記連結機構は、前記フェイスパッドと前記筐体との間において選択的に係合される複数の面ファスナを含み、前記複数の面ファスナは、
前記フェイスパッドの上部外周部分を前記筐体のうち対応する上部内周部分と選択的に係合する第１の面ファスナと、
前記フェイスパッドの第１の底部外周部分を前記筐体のうち対応する底部内周部分と選択的に係合する第２の面ファスナと、
前記フェイスパッドの第２の底部外周部分を前記筐体のうち対応する底部内周部分と選択的に係合する第３の面ファスナとを含む、請求項１に記載のヘッドセット。
【請求項６】
前記フェイスパッドは、
前記フェイスパッドの外形を規定する発泡体と、
前記発泡体の外面上において位置決めされる織物カバーとを含む、請求項１に記載のヘッドセット。
【請求項７】
前記フェイスパッドはまた、
前記筐体に据付けられた第１の光学レンズに対応する第１の開口部と、
前記筐体に据付けられた第２の光学レンズに対応する第２の開口部とを含み、
前記第１の開口部の周縁部分は封止され、前記第２の開口部の周縁部分は封止されている、請求項６に記載のヘッドセット。
【請求項８】
前記第１の光学レンズに連結された第１の光学リングと、
前記第２の光学レンズに連結された第２の光学リングとをさらに備え、
前記フェイスパッドが前記筐体に連結される場合、前記フェイスパッドの前記第１の開口部の封止された前記周縁部分は、前記第１の光学リングによって規定される窪みにおいて連結され、前記フェイスパッドの前記第２の開口部の封止された前記周縁部分は、前記第２の光学リングによって規定される窪みにおいて連結される、請求項７に記載のヘッドセット。
【請求項９】
前記筐体は前面に開口部を含み、前記開口部は、前記筐体の内部において規定される前記空隙と連通しており、前記ヘッドセットはさらに、前記筐体の前記前面上に設けられるとともに前記開口部の周縁に沿って配置された複数の支持パッドを含み、前記複数の支持パッドはシリコーン材料でできている、請求項１に記載のヘッドセット。
【請求項１０】
前記筐体は前面に開口部を含み、前記開口部は、前記筐体の内部に規定される前記空隙と連通しており、前記ヘッドセットはさらに、前記筐体の前記前面上に設けられた複数の電子パッドを含み、前記複数の電子パッドは、
前記開口部の周縁の上部中心部分に位置決めされた第１の電子パッドと、
前記開口部の前記周縁の底部中心部分に位置決めされた第２の電子パッドとを含む、請求項１に記載のヘッドセット。
【請求項１１】
前記第１の電子パッドおよび前記第２の電子パッドは、前記スロットに収容された前記コンピューティングデバイスの前記ディスプレイと接触するとともに、前記ディスプレイの第１の部分および前記ディスプレイの第２の部分を規定するように前記ディスプレイにインデックス付けするように構成される、請求項１０に記載のヘッドセット。
【請求項１２】
前記フロントフェイスの内面に形成された窪みと、
前記窪みにおいてコントローラを連結するように構成された連結装置とをさらに含む、請求項１に記載のヘッドセット。
【請求項１３】
前記少なくとも１つのＮＦＣタグは、前記フロントフェイスに据付けられた複数のＮＦＣストリップを含み、前記複数のＮＦＣストリップは、
前記フロントフェイスにおいて長手方向に配置された第１のＮＦＣストリップと、
前記フロントフェイスにおいて長手方向に配置された第２のＮＦＣストリップとを含み、前記第２のＮＦＣストリップは、前記第１のＮＦＣストリップから分離されているとともに前記第１のＮＦＣストリップと平行に位置合わせされている、請求項１に記載のヘッドセット。
【請求項１４】
前記第１のＮＦＣストリップの向かい合った端部分は、前記フロントフェイスのそれぞれ対応する向かい合った横方向端部分に向かって延在し、
前記第２のＮＦＣストリップの向かい合った端部分は、前記フロントフェイスのそれぞれ対応する向かい合った横方向端部分に向かって延在する、請求項１３に記載のヘッドセット。
【請求項１５】
前記第１のＮＦＣストリップの各端部分と、前記フロントフェイスのそれぞれ対応する前記横方向端部分との間の隙間は、前記フロントフェイスの全長の約１５％未満であり、
前記第２のＮＦＣストリップの各端部分と、前記フロントフェイスのそれぞれ対応する前記横方向端部分との間の隙間は、前記フロントフェイスの前記全長の約１５％未満である、請求項１４に記載のヘッドセット。
【請求項１６】
前記筐体の周縁部分と前記フロントフェイスの対応する周縁部分とを回転可能に連結するヒンジ機構をさらに備え、前記ヒンジ機構は、ばね荷重ロッドを含み、前記ばね荷重ロッドは、前記スロットに収容された前記コンピューティングデバイスの厚さに基づいて、前記筐体と前記フロントフェイスとの間に規定された前記スロットの幅を調整するように構成される、請求項１に記載のヘッドセット。
【請求項１７】
前記締結装置は、
前記フロントフェイスの周縁部分に連結された近位端部分を有するストラップと、
前記ストラップの遠位端部分に連結されたタブと、
前記筐体の外面上に設けられた突起とを含み、前記タブは、前記筐体に対して相対的な閉鎖位置にある前記フロントフェイスを締結するように前記突起に係合するように構成される、請求項１に記載のヘッドセット。
【請求項１８】
前記フロントフェイスに配置された前記少なくとも１つのＮＦＣタグは、前記スロットに配置された前記コンピューティングデバイスの少なくとも１つのＮＦＣタグと通信するか、アプリケーションを実行するように前記コンピューティングデバイスをトリガするか、前記ヘッドセットの特徴を識別するか、前記ヘッドセットを構成するか、または、前記コンピューティングデバイスと前記ヘッドセットの前記光学部品との間の通信を容易にするように構成される、請求項１に記載のヘッドセット。
【請求項１９】
ヘッドセットであって、
内部の空隙を規定する筐体と、
前記筐体の前記内部の空隙に配置された光学部品と、
前記筐体の前方部分に回転可能に連結されたフロントフェイスと、
前記筐体に対して相対的な閉鎖位置にある前記フロントフェイスを締結する締結装置と、
前記筐体の前記前方部分と前記筐体に対して相対的な前記フロントフェイスの前記閉鎖位置にある前記フロントフェイスとの間に規定されたスロットとを備え、前記スロットは、ディスプレイを含むコンピューティングデバイスを収容するように構成され、前記ヘッドセットはさらに、
前記フロントフェイスに据付けられた複数の近距離無線通信（ＮＦＣ）タグを含み、前記複数の近距離無線通信（ＮＦＣ）タグは、
前記フロントフェイスにおいて長手方向に配置された第１のＮＦＣストリップと、
前記フロントフェイスにおいて長手方向に配置された第２のＮＦＣストリップとを含み、前記第２のＮＦＣストリップは、前記第１のＮＦＣストリップから分離されているとともに前記第１のＮＦＣストリップと平行に位置合わせされている、ヘッドセット。
【請求項２０】
前記複数のＮＦＣタグは、前記スロットに配置されたコンピューティングデバイスを識別し、前記コンピューティングデバイスの識別に応じて、前記コンピューティングデバイスと前記光学部品との間の通信をイネーブルにするように構成される、請求項１９に記載のヘッドセット。
【請求項２１】
ヘッドセットであって、
内部の空隙を規定する筐体と、
前記筐体の前記内部の空隙に配置された光学部品と、
前記筐体の前方部分に回転可能に連結されたフロントフェイスと、
前記筐体に対して相対的な閉鎖位置にある前記フロントフェイスを締結する締結装置と、
前記筐体の前記前方部分と前記筐体に対して相対的な前記フロントフェイスの前記閉鎖位置にある前記フロントフェイスとの間に規定されたスロットとを備え、前記スロットは、ディスプレイを含むコンピューティングデバイスを収容するように構成され、前記ヘッドセットはさらに、
前記筐体の内部において規定された空隙を備え、前記空隙は、前記筐体に当たった状態で前記フロントフェイスの前記閉鎖位置にある前記フロントフェイスによって囲まれており、前記ヘッドセットはさらに、
前記フロントフェイスの内面側に規定された窪みを備え、前記フロントフェイスの前記内面側は、前記フロントフェイスが前記筐体に当たった状態で前記閉鎖位置にある場合に前記空隙に面し、前記窪みは、前記フロントフェイスが前記筐体に当たった状態で前記閉鎖位置にある状態で、コントローラを前記空隙内への保管のために収容するように構成される、ヘッドセット。
【請求項２２】
前記窪みにわたって延在するストラップをさらに備え、前記ストラップは、前記窪みに収容された前記コントローラの位置を保持するように弾性的である、請求項２１に記載のヘッドセット。
【請求項２３】
前記空隙は、前記筐体に配置された前記光学部品と、前記筐体に当たった状態で前記閉鎖位置にある前記フロントフェイスの前記内面側との間に規定される、請求項２１に記載のヘッドセット。
【発明の詳細な説明】
【技術分野】
【０００１】
関連出願の相互参照
本願は、２０１６年１０月３日に出願された米国仮出願第６２／４０３，６８９号の優先権を主張する、２０１７年９月２９日に出願された米国出願第１５／７２０，０２６号の継続出願であるとともにその優先権を主張するものであって、それらの開示全体が引用によりこの明細書中に援用されている。
【０００２】
本願は、２０１６年１０月３日に出願された米国仮出願第６２／４０３，６８９号の非仮出願であるとともにその優先権を主張するものであって、その開示全体が引用によりこの明細書中に援用されている。
【背景技術】
【０００３】
技術分野
この明細書は、概して、拡張および／または仮想現実ヘッドセットに関する。
【０００４】
背景
拡張現実（augmented reality：ＡＲ）システムおよび／または仮想現実（virtual reality：ＶＲ）システムは、三次元（three-dimensional：３Ｄ）の没入型拡張および／または仮想現実環境を生成し得る。ユーザは、さまざまな電子デバイスとの対話を通じてこの仮想環境を経験し得る。たとえば、ディスプレイ装置を観察するとき、または周囲の環境を観察するときにユーザが眺めるのに用いるディスプレイ、眼鏡またはゴーグルを含むヘルメットまたは他の頭部装着型デバイスは、ユーザが経験することとなる没入型環境の音響要素および視覚要素を提供し得る。ユーザは、たとえば、手／腕を使ったジェスチャ、頭部装着型デバイスに動作可能に連結された外部装置（たとえば、手持ち型のコントローラ、センサ付きのグローブ、および他のこのような電子デバイスなど）の操作により、仮想環境における要素内を移動したりこれら要素と対話したりし得る。
【図面の簡単な説明】
【０００５】
【図１Ａ】この明細書中に記載される実現例に従った例示的な拡張および／または仮想現実ヘッドセットを示す図であって、特に、この明細書中に記載される実現例に従った例示的な拡張および／または仮想現実ヘッドセットを示す正面斜視図である。
【図１Ｂ】この明細書中に記載される実現例に従った例示的な拡張および／または仮想現実ヘッドセットを示す図であって、この明細書中に記載される実現例に従った例示的な拡張および／または仮想現実ヘッドセットを示す背面斜視図である。
【図１Ｃ】この明細書中に記載される実現例に従った例示的な拡張および／または仮想現実ヘッドセットを示す図であって、この明細書中に記載される実現例に従った例示的な拡張および／または仮想現実ヘッドセットを示す平面図である。
【図１Ｄ】この明細書中に記載される実現例に従った例示的な拡張および／または仮想現実ヘッドセットを示す図であって、この明細書中に記載される実現例に従った例示的な拡張および／または仮想現実ヘッドセットを示す側面図である。
【図１Ｅ】この明細書中に記載される実現例に従った例示的な拡張および／または仮想現実ヘッドセットを示す図であって、この明細書中に記載される実現例に従った例示的な拡張および／または仮想現実ヘッドセットを示す正面図である。
【図１Ｆ】この明細書中に記載される実現例に従った例示的な拡張および／または仮想現実ヘッドセットを示す図であって、この明細書中に記載される実現例に従った例示的な拡張および／または仮想現実ヘッドセットを示す底面図である。
【図２Ａ】この明細書中に記載される実現例に従った例示的な拡張および／または仮想現実ヘッドセットを示す図である。
【図２Ｂ】この明細書中に記載される実現例に従った例示的な拡張および／または仮想現実ヘッドセットを示す図である。
【図２Ｃ】この明細書中に記載される実現例に従った例示的な拡張および／または仮想現実ヘッドセットを示す図である。
【図３Ａ】この明細書中に記載される実現例に従った、例示的な拡張および／または仮想現実ヘッドセットの取外し可能なフェイスパッドの特徴を示す図である。
【図３Ｂ】この明細書中に記載される実現例に従った、例示的な拡張および／または仮想現実ヘッドセットの取外し可能なフェイスパッドの特徴を示す図である。
【図３Ｃ】この明細書中に記載される実現例に従った、例示的な拡張および／または仮想現実ヘッドセットの取外し可能なフェイスパッドの特徴を示す図である。
【図３Ｄ】この明細書中に記載される実現例に従った、例示的な拡張および／または仮想現実ヘッドセットの取外し可能なフェイスパッドの特徴を示す図である。
【図３Ｅ】この明細書中に記載される実現例に従った、例示的な拡張および／または仮想現実ヘッドセットの取外し可能なフェイスパッドの特徴を示す図である。
【図３Ｆ】この明細書中に記載される実現例に従った、例示的な拡張および／または仮想現実ヘッドセットの取外し可能なフェイスパッドの特徴を示す図である。
【図３Ｇ】この明細書中に記載される実現例に従った、例示的な拡張および／または仮想現実ヘッドセットの取外し可能なフェイスパッドの特徴を示す図である。
【図３Ｈ】この明細書中に記載される実現例に従った、例示的な拡張および／または仮想現実ヘッドセットの取外し可能なフェイスパッドの特徴を示す図である。
【図３Ｉ】この明細書中に記載される実現例に従った、例示的な拡張および／または仮想現実ヘッドセットの取外し可能なフェイスパッドの特徴を示す図である。
【図３Ｊ】この明細書中に記載される実現例に従った、例示的な拡張および／または仮想現実ヘッドセットの取外し可能なフェイスパッドの特徴を示す図である。
【図４Ａ】例示的な拡張および／または仮想現実ヘッドセットを着用しているユーザを示す図である。
【図４Ｂ】この明細書中に記載される実現例に従った、フロントフェイス部分をヘッドセットの主筐体から遠ざかるように回転させた状態の例示的な拡張および／または仮想現実ヘッドセットを示す図である。
【図４Ｃ】この明細書中に記載される実現例に従った、フロントフェイス部分をヘッドセットの主筐体から遠ざかるように回転させた状態の例示的な拡張および／または仮想現実ヘッドセットを示す図である。
【図５】この明細書中に記載される実現例に従った、例示的な拡張および／または仮想現実ヘッドセットの例示的な光学リングの取外し可能な連結を示す図である。
【図６Ａ】この明細書中に記載される実現例に従った、例示的な拡張および／または仮想現実ヘッドセットにおける例示的な電子タグの配置を示す図である。
【図６Ｂ】この明細書中に記載される実現例に従った、例示的な拡張および／または仮想現実ヘッドセットにおける例示的な電子タグの配置を示す図である。
【図６Ｃ】この明細書中に記載される実現例に従った、例示的な拡張および／または仮想現実ヘッドセットにおける例示的な電子タグの配置を示す図である。
【図７】この明細書中に記載される例示的な実現例と共に用いられ得る例示的なコンピュータデバイスおよびモバイルコンピュータデバイスを示す図である。
【発明を実施するための形態】
【０００６】
詳細な説明
図１Ａ〜図１Ｆは、ユーザに拡張および／または仮想現実環境を提供し得る拡張および／または仮想現実頭部装着型ディスプレイ（head mounted display：ＨＭＤ）デバイス１００またはヘッドセット１００のさまざまな図を線図で示している。特に、図１Ａは、例示的なヘッドセット１００を示す正面斜視図であり、図１Ｂは、例示的なヘッドセット１００を示す背面斜視図であり、図１Ｃは、例示的なヘッドセット１００を示す平面図であり、図１Ｄは、例示的なヘッドセット１００を示す側面図であり、図１Ｅは、例示的なヘッドセット１００を示す正面図であり、図１Ｆは、例示的なヘッドセット１００を示す底面図である。図２Ａ〜図２Ｃは、図１Ａ〜図１Ｆに示される例示的なヘッドセット１００を示すさまざまな近接図を例示する。特に、図２Ａおよび図２Ｂは、例示的なヘッドセット１００を示す上面図であり、図２Ｃは例示的なヘッドセット１００の内側部分を示す。
【０００７】
たとえば、図１Ａおよび図２Ａに示されるように、デバイス、たとえば、携帯電話（詳細には図示せず）などのコンピューティングデバイスは、ヘッドセット１００に形成された開口部１０５またはスロット１０５に挿入することができる。スロット１０５は、ヘッドセット１００のうち筐体部分１２０とフロントフェイス部分１１５との間に位置決めされ得る。いくつかの実現例においては、フロントフェイス１１５は、筐体１２０に回転可能に連結されてもよい（たとえば、図４Ａを参照）。いくつかの実現例においては、コンピューティングデバイスがスロット１０５に位置決めされ得るように、フロントフェイス１１５を筐体１２０から遠ざかるように回転させてもよい。次いで、フロントフェイス１１５を、筐体１２０の方に戻るように回転させ、たとえば、フロントフェイス１１５と筐体１２０との間に係合される締結装置１３０によって筐体１２０に対して適所に保持し得る。スロット１０５に位置決めされてこのようにヘッドセット１００に収容されたコンピューティングデバイスのディスプレイ上に表示された画像を、筐体１２０に位置決めされた光学レンズ１１０を通して観察することができる。コンピューティングデバイスがスロット１０５に収容されると、コンピューティングデバイスのマイクロフォンおよび／またはスピーカがアクセス可能になり得、および／または、露出され得る。このため、オーディオ信号が、ヘッドセット１００に収容されたコンピューティングデバイスのマイクロフォンによって受信され得るとともに、ヘッドセット１００に収容されたコンピューティングデバイスのスピーカによって出力され得る。いくつかの実現例においては、スロット１０５に収容されたコンピューティングデバイスのオーディオポートが露出されてもよく、または、ヘッドセット１００の外部からアクセス可能となってもよく、このため、音声出力装置（たとえば、差込み型小型イヤホン、ヘッドホンまたは他のタイプのスピーカなど）が、コンピューティングデバイスに接続され得る。
【０００８】
図２Ａおよび図２Ｂにより詳細に示されるように、いくつかの実現例においては、締結装置１３０は、たとえば、フロントフェイス１１５または筐体１２０のうち一方に設けられたストラップ１３２と、フロントフェイス１１５または筐体１２０のうち他方に設けられた突起１３３とを含み得る。いくつかの実現例においては、ストラップ１３２には可撓性があり得るとともに、タブ１３３を備え得る。タブ１３３は、筐体１２０に対して相対的にフロントフェイス１１５の位置を保持するためにストラップ１３２を突起１３４と係合することを容易にし得るとともに、フロントフェイス１１５を筐体１２０から遠ざかるように動かすことを可能にするために突起１３４からストラップ１３２を外すことを容易にし得る。
【０００９】
図２Ａ〜図２Ｃにより詳細に示されるように、調整可能なヘッドストラップアセンブリは、ユーザの頭上にヘッドセット１００を調整可能に位置決めするために筐体１２０に連結されてもよい。調整可能なヘッドストラップアセンブリはヘッドストラップ１２５を含み得る。ヘッドストラップ１２５は、筐体１２０の第１の上方側面部分に連結された第１の部分１２５Ａと、筐体１２０の第２の上方側面部分に連結された第２の部分１２５Ｂとを有し得る。いくつかの実現例においては、ヘッドセット１００の筐体１２０に対する相対的なヘッドストラップ１２５の取付け（たとえば、筐体１２０に対する相対的なヘッドストラップ１２５の位置および／または向き）は、ヘッドセット１００をユーザの頭上に人間工学的に位置決めすることを可能にし得る。たとえば、筐体１２０に対して相対的にヘッドストラップ１２５を位置決めおよび／または方向付けすることにより、ユーザの頭（または顔）上にヘッドセット１００を人間工学的に位置決めすることが可能となり、より快適で、没入型のユーザ経験が提供され得る。たとえば、筐体１２０に対して相対的にヘッドストラップ１２５を位置決めおよび／または方向付けすることにより、ヘッドセット１００の重量を分散させ得る。これにより、ヘッドセット１２０の比較的より多くの重量がユーザの額の上で支えられることとなり、ユーザの鼻および／または頬に掛かる圧力／重量が比較的より少なくなる。これにより、ヘッドセット１００がユーザの顔により快適にフィットし得る。いくつかの実現例においては、筐体１２０に対して相対的にヘッドストラップ１２５を位置決めおよび／または方向付けすることにより、筐体１２０に据付けられた１対の光学レンズ１１０とユーザの眼を適切に位置合わせすることが容易になり得る。
【００１０】
いくつかの実現例においては、筐体１２０に対する相対的なヘッドストラップ１２５の位置決めおよび／または方向付けは、たとえば、図１Ｄに示されるように、筐体１２０の中心線に対するヘッドストラップ１２５の中心線の角度αによって特徴付けられてもよい。たとえば、いくつかの実現例においては、角度αは約１０度未満であってもよい。いくつかの実現例においては、角度αは約５度〜約１０度であってもよい。いくつかの実現例においては、角度αは約７度であってもよい。たとえば、図１Ａ、図１Ｂ、図１Ｄ、図２Ａおよび図２Ｂに示されるように、ヘッドストラップ１２５の第１の部分１２５Ａの第１の端部は、筐体１２０の第１の上方側面部分に取付けられてもよく、ヘッドストラップ１２５の第２の部分１２５Ｂの第１の端部は、筐体１２０の第２の上方側面部分に取付けられてもよい。たとえば、いくつかの実現例においては、たとえば、図１Ｂおよび図２Ｂに示されるように、ヘッドストラップ１２５が、筐体１２０の両側面の上半分から上３分の１までの部分に取付けられてもよく、筐体１２０へのヘッドストラップ１２５の取付け部は、筐体１２０の上側面部分にまで延在してもよい。筐体１２０に対するヘッドストラップ１２５のこの角度αと、筐体１２０の上方部分におけるヘッドストラップ１２５の取付けとは、ユーザの顔上におけるヘッドセット１００の適切な方向付けを維持するのに役立ち得る。筐体１２０に対するヘッドストラップ１２５のこの角度αと、筐体１２０の上方部分におけるヘッドストラップ１２５の取付けとにより、ユーザの額で支え得る重量が比較的より多くなり得るとともに、ユーザの鼻および／または頬に掛かる力が比較的より少なくなり得る。
【００１１】
いくつかの実現例においては、１つ以上の調整機構１２６がヘッドストラップ１２５上に連結されてもよい。１つ以上の調整機構１２６は、たとえば、ユーザの頭のサイズおよび／または輪郭に基づいてヘッドストラップ１２５の長さを調整することを可能にし得る。いくつかの実現例においては、１つ以上の調整機構１２６は、たとえば、上下二連型のクリップであってもよく、これによって、ヘッドストラップ１２５の第１の端部１２５Ａと第２の端部１２５Ｂとの重なり部分１２５Ｃを調整し得る（たとえば、図３Ｃ、図４Ａおよび図４Ｂを参照）。たとえば、ヘッドストラップ１２５の第１の部分１２５Ａの第２の端部が、２個のクリップ１２６のうちの第１のクリップに固定して連結されてもよく、ヘッドストラップ１２５の第２の部分１２５Ｂが、２個のクリップ１２６のうちの第１のクリップに可動に連結されてもよい。同様に、ヘッドストラップ１２５の第２の部分１２５Ｂの第２の端部が、２個のクリップ１２６のうちの第２のクリップに固定して連結されてもよく、ヘッドストラップ１２５の第１の部分１２５ＡＢが２個のクリップ１２６のうちの第２のクリップに可動に連結されてもよい。これにより、クリップ１２６がヘッドストラップ１２５の第１の部分１２５Ａおよび第２部分１２５Ｂに沿って摺動するのに応じてヘッドストラップ１２５の全長を調整することが可能となり得るので、ユーザの頭上におけるヘッドセット１００の適切な位置と、ユーザの眼に対するヘッドセット１００の光学要素（たとえば、光学レンズ１１０）の適切な位置とを確保するのに役立ち得る。いくつかの実現例においては、ヘッドストラップ１２５は、いくらか可撓性のある材料でできていてもよく、これにより、ヘッドストラップ１２５をユーザの頭の形状に適合させることが可能となり得る。ヘッドストラップ１２５は比較的非弾性的であってもよく、または弾性がほとんどもしくは全くなくてもよい。このように弾性がない（または伸張しない）ことは、ユーザがヘッドセット１００を適所に保持してクリップ１２６を動かすことによりヘッドストラップ１２５の嵌まり具合を調整した後に、ヘッドセット１００の位置を安定させたりヘッドセット１００が動くのを防いだりするのに役立ち得る。たとえば、ヘッドストラップ１２５は、可撓性のある織布、編布または網目布でできていてもよく、ヘッドストラップ１２５がユーザの頭の形状に適合することを可能にし得るが、比較的非弾性的であるため、（たとえば、クリップ１２６の調整によって）ヘッドストラップ１２５が固定されると、ヘッドセット１００がその位置に留まって移動しなくなる。
【００１２】
いくつかの実現例においては、筐体１２０へのヘッドストラップ１２５の取付けの角度αと、筐体１２０の上方部分へのヘッドストラップ１２５の取付けと、ヘッドストラップ１２５上への１つ以上のクリップ１２６の配置と、可撓性があり比較的非弾性的なヘッドストラップ１２５の材料とを組合わせることにより、ヘッドセット１００をユーザの頭に快適かつ適切に位置決めするとともにユーザの眼に対して相対的に方向付けることが可能となり得る。これらの要因はまた、ヘッドセット１００のこのような適切な位置決めおよび方向付けを使用中に維持することを可能にし得るとともに、使用中のユーザの快適性を向上させ得る。
【００１３】
図３Ａ〜図３Ｊは、ヘッドセット１００の筐体１２０からのフェイスパッド１４０の取外しと、ヘッドセット１２０の筐体１２０へのフェイスパッド１４０の交換とを含む、ヘッドセット１００の取外し可能なフェイスパッド１４０を示すさまざまな図である。特に、図３Ａ〜図３Ｃ、図３Ｉおよび図３Ｊは、ヘッドセット１００の筐体１２０から取外されたかまたは分離されたフェイスパッド１４０を示す。図３Ｄ〜図３Ｇは、ヘッドセット１００の筐体１２０へのフェイスパッド１４０の連結を示す。図３Ｈ〜図３Ｊは、ヘッドセット１００の筐体１２０からのフェイスパッド１４０の取外しを示す。図３Ａ〜図３Ｊに示されるように、フェイスパッド１４０の取外しおよび交換は、ヘッドセット１００のうち、本質的に後方に面する側全体またはユーザに面する側全体の取外しおよび交換を含む。フェイスパッド１４０は、ヘッドセット１００のうち、ユーザ（特にユーザの顔）と直接接触する、ユーザとのインターフェイスを規定する。ヘッドセット１００のうち、ユーザと直接接触する本質的にこの後方に面する側全体を取外すことで、ヘッドセット１００の使用がより衛生的になり得るとともに、ヘッドセット／ユーザインターフェイスを特定のユーザに合うように調整することが可能になり得る。
【００１４】
たとえば、図３Ｄに示されるように、フェイスパッド１４０に規定された開口部１４５は筐体１２０に据付けられた光学レンズ１１０と位置合わせされてもよく、図３Ｅ〜図３Ｇに示されるように、フェイスパッド１４０の各開口部１４５の周縁部分１４５Ａを、ヘッドセット１００のそれぞれ対応するレンズ１１０を囲む対応する光学リング１５０の周りに挿入することができる。いくつかの実現例においては、光学リング１５０の各々は比較的剛性であってもよく、光学リング１５０と光学レンズ１１０との連結部の設置により窪み部分が規定されてもよい。この窪み部分においては、フェイスパッド１４０におけるそれぞれ対応する開口部１４５の縁部分１４５Ａが光学レンズ１１０に対して相対的に適所に収容されて保持され得る。
【００１５】
いくつかの実現例においては、フェイスパッド１４０には可撓性（たとえば、いくらか可撓性）があってもよく、フェイスパッド１４０を手作業で操作して、光学レンズ１１０に対して相対的に筐体１２０内に適所に位置決めすることを可能にし得る。フェイスパッド１４０はいくらかの剛性を有していてもよく、このため、フェイスパッド１４０は、筐体１２０内に連結されると所期の形状を維持する。たとえば、いくつかの実現例においては、フェイスパッド１４０は可撓性のある発泡体を覆う織物カバーを含み得ることで、当該フェイスパッド１４０に一定の可撓性および剛性をもたらし得る。いくつかの実現例においては、各々の開口部１４５の周縁部分１４５Ａは、開口部１４５の周縁部分１４５に沿って滑らかに仕上げられた端縁をもたらすために処理またはコーティングされてもよい。これにより、発泡体のほつれた部分および／またはフェイスパッド１４０の織物カバーが光学レンズ１５０の前方の区域にまで延在すること、およびレンズ１５０を介する視界をさえぎることが防止され得る。
【００１６】
いくつかの実現例においては、連結機構１５５は、筐体１２０内に連結されるフェイスパッド１４０の位置を維持し得る。たとえば、いくつかの実現例においては、連結機構１５５は、１つ以上の面ファスナ、フェイスパッド１４０と筐体１２０との間の接着剤、１つ以上のクリップ、１つ以上のフックなどを含み得る。図３Ｈ〜図３Ｊに示される例においては、単に説明および例示を容易にするために、ヘッドセット１００の上部分における第１の面ファスナ１５５Ａと、ヘッドセット１００の第１の底側部分における第２の面ファスナ１５５Ｂと、ヘッドセットの第２の底側部分における第３の面ファスナ１５５Ｃとが、筐体１２０内においてフェイスパッド１４０を連結している。しかしながら、より多くもしくはより少ないセット数の面ファスナ１５５および／または他のタイプの連結機構が、筐体１２０内においてフェイスパッド１４０を連結してもよい。図３Ｈ〜図３Ｊに示される例示的なセット数の面ファスナ１５５は、フェイスパッド１４０上の第１のパッド（すなわち、フックまたはループパッドのうち一方）と、筐体１２０の対応する部分上の第２のパッド（フックまたはループパッドのうちの他方）とを含む。このように筐体１２０内においてフェイスパッド１４０を連結することにより、筐体１２０内においてフェイスパッド１４０が確実に但し取外し可能に連結され得るとともに、筐体１２０におけるフェイスパッド１４０の位置をいくらか調整することが可能になり得る。
【００１７】
上述の筐体１２０内においてフェイスパッド１４０を連結することに加えて、上述のようにフェイスパッド１４０にある開口部１４５の周縁部分１４５Ａを光学リング１５０の周りに連結することにより、周囲光がヘッドセット１００の内部に入るのを阻止し得る。これにより、ユーザにとっての没入型仮想体験を向上させ得る。筐体１２０からフェイスパッド１４０を取外して筐体１２０内でフェイスパッド１４０を交換することができるので、フェイスパッド１４０および／または筐体１２０の内部を洗浄することが可能となり得る。これにより、ヘッドセット１００の残りの部分を交換する必要なしに、使用済み／着用済みのフェイスパッド１４０を新しいフェイスパッド１４０と交換することも可能となり得る。この構成においては、さまざまな異なるサイズおよび／または形状および／または外形を有するフェイスパッド１４０が筐体１２０内において連結され得る。これにより、ユーザが、眼鏡などに適応させるために、彼ら自身の顔の形状に合うようにヘッドセット１００をカスタマイズすることが可能となり、より適切でより快適なフィット性をもたらし得るとともに、周囲光がヘッドセット１００の内部に入り込むのをより適切に阻止し得る。これにより、さまざまなユーザが共通の筐体１２０に彼らの個人用のフェイスパッド１４０を据付けることも可能となり、複数のユーザが同じヘッドセット１００を用いる場合でも、より快適かつより衛生的となり得る。このようにフェイスパッド１４０を取外して交換することができるので、ユーザの快適性および利便性が改善され得るとともに、ユーザ経験が向上し得る。
【００１８】
上述のように、いくつかの実現例においては、フェイスパッド１４０は、フェイスパッド１４０の形状および／または外形を規定する可撓性のある発泡体と、可撓性のある発泡体の一方側または両側を覆う織物カバーとを含み得る。同様に、いくつかの実現例においては、筐体１２０は、フェイスパッド１４０の形状および／または外形を規定する可撓性のあるプラスチック体または可撓性のある発泡体と、可撓性のあるプラスチック体／発泡体の一方側または両側を覆う織物カバーとを含み得る。これにより、ヘッドセット１００が、比較的軽量であるものの、筐体１２０内の構成要素を支持するのに必要な構造的剛性を備えたものとなり得る。これにより、ヘッドセット１００をユーザの顔に当てた状態で位置決めし、次いで、ユーザの顔に当てた状態で適所にヘッドセット１００を適切に位置決めして保持するためにヘッドストラップ１２５を締め付けるときに、ヘッドセット１００にいくらかの可撓性をもたらすことも可能になり得る。これにより、ヘッドセット１００を、顔の外形および特徴が異なるさまざまな異なるユーザにさらに適合させることが可能となり得ることで、さらに、ユーザの快適性および利便性が改善され得るとともに、ユーザ経験がさらに向上し得る。
【００１９】
図４Ａは、ヘッドセット１００を着用してコントローラ１０を握っているユーザを示す。コントローラ１０は、ヘッドセット１００を着用しているユーザが経験することとなる仮想環境を生成するコンピューティングデバイスと対にされてもよく、当該コンピューティングデバイスと動作可能に連結されてもよく、当該コンピューティングデバイスと通信してもよい。仮想環境を生成するコンピューティングデバイスは、たとえば、フロントフェイス１１５とヘッドセット１００の筐体１２０との間の（図１Ａ〜図１Ｆに関連付けて上述された）スロット１０５に収容されるコンピューティングデバイスであってもよい。このように対にすることまたは動作可能に連結することで、コントローラ１０とコンピューティングデバイスとの間のデータの通信およびやり取りが実現され得るので、コントローラ１０は仮想環境との対話および仮想環境への入力を容易にし得る。図４Ｂおよび図４Ｃは、ヘッドセット１００の正面斜視図であって、筐体１２０の内部およびフロントフェイス１１５の内面側が見えるように、フロントフェイス１１５が筐体１２０から遠ざかるように回転させてある。
【００２０】
いくつかの実現例においては、図４Ｃに示されるように、窪み１１２が、ヘッドセット１００のフロントフェイス１１５において規定されてもよい。窪み１１２は、たとえば、コンピューティングデバイスがスロット１０５に収容されておらず、コントローラ１０が使用されていない場合に、保管のために、コントローラ１０を収容してもよい。ヘッドセット１００のフロントフェイス１１５が（たとえば、図２Ａにおけるように）筐体１２０に当てられた状態で閉鎖位置にある場合、コントローラ１０は、ヘッドセット１００の筐体１２０内の空隙１０３に配置することができる。いくつかの実現例においては、コントローラ１０が空隙１０３に収容され得るように、空隙１０３の幅および長さは、コントローラ１０の対応する幅および長さよりも大きくてもよい。空隙１０３は、フロントフェイス１１５が筐体１２０に当てられた状態で閉鎖位置にある場合に、光学レンズ１１０とフロントフェイス１１５の内面側との間に形成された空間によって規定されてもよい。いくつかの実現例においては、コントローラ１０は、たとえば、連結機構１１７によってフロントフェイス１１５の窪み１１２内に維持することができる。いくつかの実現例においては、連結機構１１７は、弾性のある連結機構、クリップ、接着剤、面ファスナ、ねじなどであり得る。いくつかの実現例においては、コントローラ１０および／またはフロントフェイス１１５は、コントローラ１０がフロントフェイス１１５の窪み１１２に圧入され得るように構成することができる。図４Ｂに例示される例においては、コントローラ１０は、（フロントフェイス１１５にわたって長手方向に位置合わせされた）窪み１１２にわたって（直交して）配置される単一の連結機構１１７によって窪み１１２において連結される。しかしながら、いくつかの実現例においては、１つ以上の連結機構１１７は、コントローラ１０をフロントフェイス１１５に連結するためにヘッドセット１００のフロントフェイス１１５に含めることができる。
【００２１】
図４Ｂおよび図４Ｃに示されるヒンジ機構１８５は、フロントフェイス１１５をヘッドセット１００の筐体１２０に回転可能に連結し得る。ヒンジ機構１８５は、さまざまな厚さのデバイスを（図１Ａに示される）スロット１０５に収容することができるように調整可能であり得る。たとえば、いくつかの実現例においては、ヒンジ機構１８５はばね荷重レール構造を含み得るので、フロントフェイス１１５が締結装置１３０によって筐体１２０に対して適所で掛止めされた状態で、フロントフェイス１１５とヘッドセット１００の筐体１２０との間にさまざまな厚さのデバイスを収容するように、スロット１０５の幅、またはヒンジ機構１８５が筐体１２０から延在する距離が変化し得る。たとえば、いくつかの実現例においては、ヒンジ機構１８５によってもたらされるこの調整は、たとえば、保護ケースを含むスマートフォンなどのコンピューティングデバイスをスロット１０５に収容して保持することを可能にし得る。
【００２２】
図４Ｂおよび図４Ｃに示されるように、いくつかの実現例においては、１つ以上の支持パッド１９０が筐体１２０の前面１２１上に設けられてもよい。フロントフェイス１１５が締結装置１３０によって筐体１２０に留付けられた状態で、コンピューティングデバイスがスロット１０５に収容されると、支持パッド１９０は、コンピューティングデバイスの対応する表面に接触し得る。支持パッド１９０は、たとえばシリコーンなどの材料でできていてもよく、このため、コンピューティングデバイスと支持パッド１９０とが接触することでスロット１０５におけるコンピューティングデバイスの動きに対して抵抗がもたらされるが、コンピューティングデバイスの接触面を傷つけることはない。支持パッド１９０は、コンピューティングデバイスがスロット１０５内を移動したりスロット１０５から意図せず外れたりすることのないように、スロット１０５においてコンピューティングデバイスのさらなる固定機構を提供してもよい。単に説明および例示を容易にするために、４つの支持パッド１９０が、図４Ｂおよび図４Ｃに示される筐体１２０の前面のうち４つの角部分に設けられている。しかしながら、より多くまたはより少ない支持パッド１９０が、さまざまな配置で筐体１２０の前面１２１上に含まれていてもよい。
【００２３】
いくつかの実現例においては、電子パッド１９５は、筐体１２０の前面１２１上に含まれていてもよい。図４Ｂおよび図４Ｃに示される例に示されるように、１つの電子パッド１９５が、筐体１２０の前面１２１の上部中心部分において位置決めされてもよく、別の電子パッド１９５が、筐体１２０の前面１２１の底部中心部分において位置決めされてもよい。電子パッド１９５は、筐体１２０内に収容された左側の光学レンズ１１０と右側の光学レンズ１１０との間で、筐体１２０の前面１２１の中心部分において、互いに対向して位置決めされてもよい。コンピューティングデバイスが上述の通り締結装置１３０および支持パッド１９０によってスロット１０５に保持されている場合、電子パッド１９５がコンピューティングデバイスのディスプレイ装置に当たった状態で位置決めされ得る。たとえば、電子パッド１９５は、ディスプレイの左側部分とディスプレイの右側部分との間の地点において、ディスプレイ装置のうちそれぞれの上部中心部分および底部中心部分に当たった状態で位置決めされてもよい。コンピューティングデバイスおよびディスプレイが通電されると、電子パッド１９５はわずかな負荷を被る可能性がある。電子パッド１９５は、ディスプレイにこの静電容量を伝達し得るが、コンピューティングデバイスは、これを、ディスプレイ装置をディスプレイの左側部分およびディスプレイの右側部分に分割するための中心基準点としてみなす可能性がある。
【００２４】
仮想現実モードで動作する場合、コンピューティングデバイスは、各々の眼に対して表示されるように別個の画像を生成し得る。左側の眼と右側の眼とがいくらか別個に独立したままの状態で、ユーザがこれらの別個の画像を左側の光学レンズ１１０および右側の光学レンズ１１０を介して見ると、ユーザは、ディスプレイ装置の左側部分および右側部分上にそれぞれ表示された左側の画像および右側の画像を奥行きがあるように錯覚させる単一画像へと解像し得る。上述の態様でスロット１０５におけるコンピューティングデバイスのディスプレイ装置を電子的に参照することにより、スロット１０５におけるコンピューティングデバイスの精密な位置決めが必要となるディスプレイ装置の左側部分と右側部分との間での分割ではなく、スロット１０５におけるコンピューティングデバイスの実際の位置決めに基づいてディスプレイ装置を右側部分と左側部分とに分割することが可能となり得る。上述の態様でスロット１０５におけるコンピューティングデバイスのディスプレイ装置を電子的に参照することにより、スロット１０５におけるコンピューティングデバイスのわずかな動きに応じてディスプレイ装置を再参照することも可能になり得る。このようにリアルタイムで参照または再参照することにより、スロット１０５におけるコンピューティングデバイスの位置合わせ不良および／またはスロット１０５におけるコンピューティングデバイスの移動に起因する、ユーザが観察する際の画像の不鮮明化などを減らし得るかまたは実質的に排除し得ることで、乗物酔いなどを減らし得る。
【００２５】
図５は、ヘッドセット１００に可動に連結されている光学リング１５０を示す。光学リング１５０は、筐体１２０内にあってたとえば光学レンズ１１０を含むさまざまな光学部品を支持するたとえば光学構造１１８に可動に連結することができ、このため、ヘッドセット１００の光学部品（たとえばレンズ、レンズ機構）のうち１つ以上の取外しおよび／または交換が可能となる。いくつかの実現例においては、光学リング１５０は、タブ、フックなどの連結機構を用いて連結することができる。いくつかの実現例においては、光学リング１５０は回転可能に取外すことができる。
【００２６】
図６Ａ〜図６Ｃは、ヘッドセット１００のフロントフェイス１１５に含まれる電子タグ１７０を示す。いくつかの実現例においては、電子タグ１７０は近距離無線通信（near field communication：ＮＦＣ）タグであり得る。いくつかの実現例においては、電子タグ１７０は、ヘッドセット１００のフロントフェイス１１５に沿って長手方向に位置合わせされた複数の電子タグ１７０を含み得る。いくつかの実現例においては、電子タグ１７０はＮＦＣストリップ１７０であってもよく、各々のＮＦＣストリップ１７０は、その幅よりも長い長手方向の長さによって規定されていてもよい。たとえば、電子タグ１７０は、ヘッドセット１００のフロントフェイス１１５の（たとえば、長さの５０％よりも長い）全体にわたってタグ１７０を実質的に配置することができるように、長手方向に位置合わせすることができる。いくつかの実現例においては、電子タグ１７０の各端部とフロントフェイス１１５のそれぞれ対応する横方向端部分との間の隙間は、フロントフェイス１１５の全長の約２０％未満であってもよい。いくつかの実現例においては、電子タグ１７０の各端部分とフロントフェイス１１５のそれぞれ対応する横方向端部分との間の隙間は、フロントフェイス１１５の全長の約１５％未満である。いくつかの実現例においては、電子タグ１７０の各端部分とフロントフェイス１１５のそれぞれ対応する横方向端部分との間の隙間は、フロントフェイス１１５の全長の約１０％未満であってもよい。いくつかの実現例においては、電子タグ１７０は互いに平行に配置されてもよい。いくつかの実現例においては、電子タグ１７０は、ヘッドセット１００のフロントフェイス１１５において、窪み１１２に対応する方向に位置合わせされてもよい。いくつかの実現例においては、電子タグ１７０のうち１つ以上は長さが約１０ｃｍであり得る。いくつかの実現例においては、電子タグ１７０のうち１つ以上が、ヘッドセット１００のフロントフェイス１１５の全長に応じて、長さが１０ｃｍよりも長くてもよい。いくつかの実現例においては、電子タグ１７０のうち１つ以上が、ヘッドセット１００のフロントフェイス１１５の全長に応じて、長さ１０ｃｍ未満であってもよい。
【００２７】
図６Ａ〜図６Ｃに示される実現例においては、２つの電子タグ１７０がヘッドセット１００のフロントフェイス１１５に含まれている。いくつかの実現例においては、３つ以上の電子タグ１７０または２つ未満の電子タグ１７０がフロントフェイス１１５に含まれ得る。
【００２８】
いくつかの実現例においては、電子タグ１７０のうちの１つは、コンピューティングデバイス（たとえば、モバイルデバイス）がヘッドセット１００に含まれている（たとえば、フロントフェイス１１５と筐体１２０との間のスロット１０５に位置決めされている）場合、かつ、フロントフェイス１１５が閉じられている（たとえば、ヘッドセット１００が閉じた構成に進められている）場合に、電子タグ１７０がアプリケーションを実行する（たとえば、開始する）ようにコンピューティングデバイスをトリガすることができるように、構成され得る。いくつかの実現例においては、アプリケーションは、仮想現実コンテンツ消費のために用いられるホーム画面用アプリケーションであってもよい。いくつかの実現例においては、電子タグ１７０のうち１つ以上は、コンピューティングデバイスをヘッドセット１００に挿入する前に、コンピューティングデバイスをロック解除することなく、アプリケーションの実行をトリガすることができる。
【００２９】
いくつかの実現例においては、電子タグ１７０のうち１つ以上を用いて、ヘッドセット１００および／またはヘッドセット１００に含まれるコンピューティングデバイスを自動設定することができる。いくつかの実現例においては、電子タグ１７０のうち１つ以上を用いて、ヘッドセット１００の特徴を識別することができる。たとえば、電子タグ１７０のうち１つ以上を用いて、ヘッドセット１００の１つ以上の光学パラメータを識別することができる。いくつかの実現例においては、電子タグ１７０のうち１つ以上をヘッドセット１００に含まれるコンピューティングデバイスによって用いて、ヘッドセット１００の１つ以上の光学パラメータを識別することができる。ヘッドセット１００の１つ以上の特徴を識別することにより、コンピューティングデバイスは、ヘッドセット１００の１つ以上の特徴と互換性のあるディスプレイを生成するように構成することができる。言いかえれば、デバイスは、１つ以上の画像がヘッドセット１００を用いて望ましい態様で表示されるように、その性能（たとえば、デバイスのレンダリングソフトウェア）を調整するように構成することができる。
【００３０】
たとえば、図６Ａ〜図６Ｃに示される態様での電子タグ１７０または細長いＮＦＣストリップ１７０のサイズ設定、および電子タグ１７０または細長いＮＦＣストリップ１７０の配置により、スロット１０５におけるコンピューティングデバイスの精密な位置決めおよび／または方向付けを必要とすることなくまたはこれに依拠することなく、スロット１０５に収容されたコンピューティングデバイスとヘッドセット１００の光学部品との間、特に、スロット１０５に収容されたコンピューティングデバイスにおけるＮＦＣチップとヘッドセット１００のフロントフェイス１１５における細長いＮＦＣチップ１７０との間、における高速の接続／通信が容易になり得る。すなわち、ヘッドセット１００のフロントフェイス１１５における細長いＮＦＣストリップ１７０のサイズおよび／または配置は、コンピューティングデバイスにおけるＮＦＣチップの場所にかかわらず、および／または、スロット１０５におけるコンピューティングデバイスの位置および／または向きにかかわらず、ヘッドセット１００の細長いＮＦＣストリップ１７０とスロット１０５に収容されたコンピューティングデバイスのＮＦＣチップとの間における高速通信を可能にし得る。これは、ヘッドセット１００における仮想体験の迅速な開始を容易にし得るとともに、ユーザ利便性を向上させ得る。
【００３１】
図１Ａ〜図７の特徴のすべてが同じヘッドセット設計に関連しているので、図のいずれかに示される特徴のいずれをも組合わせることができる。
【００３２】
図７は、ここに記載される技術と共に用いられ得るコンピュータデバイス９００およびモバイルコンピュータデバイス９５０の例を示す。コンピューティングデバイス９００は、プロセッサ９０２、メモリ９０４、記憶装置９０６、メモリ９０４および高速拡張ポート９１０に接続している高速インターフェイス９０８、ならびに低速バス９１４および記憶装置９０６に接続している低速インターフェイス９１２を含む。コンポーネント９０２，９０４，９０６，９０８，９１０および９１２の各々はさまざまなバスを用いて相互に接続されており、共通のマザーボード上にまたは他の態様で適宜搭載され得る。プロセッサ９０２は、コンピューティングデバイス９００内で実行される命令を処理可能であり、この命令には、ＧＵＩのためのグラフィック情報を高速インターフェイス９０８に連結されているディスプレイ９１６などの外部入出力デバイス上に表示するためにメモリ９０４内または記憶装置９０６上に記憶されている命令が含まれる。他の実現例では、複数のプロセッサおよび／または複数のバスが、複数のメモリおよび複数種類のメモリと共に適宜用いられ得る。また、複数のコンピューティングデバイス９００が接続されてもよく、各デバイスは（たとえばサーババンク、ブレードサーバのグループ、またはマルチプロセッサシステムとして）必要な動作の一部を提供し得る。
【００３３】
メモリ９０４は情報をコンピューティングデバイス９００内に記憶する。一実現例では、メモリ９０４は１つまたは複数の揮発性メモリユニットである。別の実現例では、メモリ９０４は１つまたは複数の不揮発性メモリユニットである。また、メモリ９０４は、磁気ディスクまたは光ディスクなどの別の形態のコンピュータ読取り可能媒体であってもよい。
【００３４】
記憶装置９０６は、コンピューティングデバイス９００に大容量記憶を提供可能である。一実現例では、記憶装置９０６は、フロッピー（登録商標）ディスクデバイス、ハードディスクデバイス、光ディスクデバイス、またはテープデバイス、フラッシュメモリもしくは他の同様のソリッドステートメモリデバイス、またはストレージエリアネットワークもしくは他のコンフィギュレーションにおけるデバイスを含む多数のデバイスなどの、コンピュータ読取り可能媒体であってもよく、または当該コンピュータ読取り可能媒体を含んでいてもよい。コンピュータプログラムプロダクトが情報媒体内に有形に具体化され得る。また、コンピュータプログラムプロダクトは、実行されると上述のような１つ以上の方法を実行する命令を含み得る。情報媒体は、メモリ９０４、記憶装置９０６、またはプロセッサ９０２上のメモリなどの、コンピュータ読取り可能媒体または機械読取り可能媒体である。
【００３５】
高速コントローラ９０８はコンピューティングデバイス９００のための帯域幅集約的な動作を管理するのに対して、低速コントローラ９１２はより低い帯域幅集約的な動作を管理する。このような機能の割当ては例示に過ぎない。一実現例では、高速コントローラ９０８はメモリ９０４、ディスプレイ９１６に（たとえばグラフィックスプロセッサまたはアクセラレータを介して）、およびさまざまな拡張カード（図示せず）を受付け得る高速拡張ポート９１０に連結される。当該実現例では、低速コントローラ９１２は記憶装置９０６および低速拡張ポート９１４に連結される。さまざまな通信ポート（たとえばＵＳＢ、ブルートゥース（登録商標）、イーサネット（登録商標）、無線イーサネット）を含み得る低速拡張ポートは、キーボード、ポインティングデバイス、スキャナ、またはスイッチもしくはルータといったネットワーキングデバイスなどの１つ以上の入出力デバイスに、たとえばネットワークアダプタを介して連結され得る。
【００３６】
コンピューティングデバイス９００は、図に示すように多数の異なる形態で実現されてもよい。たとえば、コンピューティングデバイス９００は標準的なサーバ９２０として、またはこのようなサーバのグループ内で複数回実現されてもよい。また、コンピューティングデバイス９００はラックサーバシステム９２４の一部として実現されてもよい。さらに、コンピューティングデバイス９００はラップトップコンピュータ９２２などのパーソナルコンピュータにおいて実現されてもよい。代替的には、コンピューティングデバイス９００からのコンポーネントは、デバイス９５０などのモバイルデバイス（図示せず）内の他のコンポーネントと組合されてもよい。このようなデバイスの各々がコンピューティングデバイス９００，９５０の１つ以上を含んでいてもよく、システム全体が、互いに通信し合う複数のコンピューティングデバイス９００，９５０で構成されてもよい。
【００３７】
コンピューティングデバイス９５０は、数あるコンポーネントの中でも特に、プロセッサ９５２、メモリ９６４、ディスプレイ９５４などの入出力デバイス、通信インターフェイス９６６、およびトランシーバ９６８を含む。また、デバイス９５０には、マイクロドライブまたは他のデバイスなどの記憶装置が設けられて付加的なストレージが提供されてもよい。コンポーネント９５０，９５２，９６４，９５４，９６６および９６８の各々はさまざまなバスを用いて相互に接続されており、当該コンポーネントのいくつかは共通のマザーボード上にまたは他の態様で適宜搭載され得る。
【００３８】
プロセッサ９５２は、メモリ９６４に記憶されている命令を含む、コンピューティングデバイス９５０内の命令を実行することができる。プロセッサは、別個の複数のアナログプロセッサおよびデジタルプロセッサを含むチップのチップセットとして実現されてもよい。プロセッサは、たとえば、ユーザインターフェイス、デバイス９５０によって実行されるアプリケーション、およびデバイス９５０による無線通信の制御といった、デバイス９５０の他のコンポーネントの連携を提供し得る。
【００３９】
プロセッサ９５２は、ディスプレイ９５４に連結された制御インターフェイス９５８およびディスプレイインターフェイス９５６を介してユーザと通信し得る。ディスプレイ９５４は、たとえば、薄膜トランジスタ液晶ディスプレイ（Thin-Film-Transistor Liquid Crystal Display：ＴＦＴ  ＬＣＤ）もしくは有機発光ダイオード（Organic Light Emitting Diode：ＯＬＥＤ）ディスプレイ、または他の適切なディスプレイ技術であり得る。ディスプレイインターフェイス９５６は、グラフィック情報および他の情報をユーザに提示するようにディスプレイ９５４を駆動するための適切な回路を含み得る。制御インターフェイス９５８はユーザからコマンドを受信し、当該コマンドをプロセッサ９５２に提出するために変換し得る。さらに、デバイス９５０と他のデバイスとの隣接通信を可能にするために、プロセッサ９５２と通信する外部インターフェイス９６２が提供されてもよい。外部インターフェイス９６２は、たとえば、ある実現例では有線通信を提供してもよく、他の実現例では無線通信を提供してもよく、また、複数のインターフェイスが用いられてもよい。
【００４０】
メモリ９６４は情報をコンピューティングデバイス９５０内に記憶する。メモリ９６４は、１つもしくは複数のコンピュータ読取り可能媒体、１つもしくは複数の揮発性メモリユニット、または１つもしくは複数の不揮発性メモリユニットの１つ以上として実現され得る。さらに、拡張メモリ９７４が提供され、たとえばＳＩＭＭ（Single In Line Memory Module）カードインターフェイスを含み得る拡張インターフェイス９７２を介してデバイス９５０に接続されてもよい。このような拡張メモリ９７４はデバイス９５０に余分のストレージスペースを提供し得るか、またはデバイス９５０のためのアプリケーションもしくは他の情報をさらに記憶し得る。具体的には、拡張メモリ９７４は上述のプロセスを実行または補足するための命令を含み得るとともに、セキュア情報も含み得る。このため、たとえば、拡張メモリ９７４はデバイス９５０のためのセキュリティモジュールとして提供されてもよく、デバイス９５０のセキュアな使用を許可する命令でプログラムされてもよい。さらに、ハッキング不可能な態様でＳＩＭＭカード上に識別情報を置くなどして、セキュアなアプリケーションが付加的な情報と共にＳＩＭＭカードを介して提供されてもよい。
【００４１】
メモリは、以下に記載のように、たとえばフラッシュメモリおよび／またはＮＶＲＡＭメモリを含み得る。一実現例では、コンピュータプログラムプロダクトが情報媒体内に有形に具体化される。コンピュータプログラムプロダクトは、実行されると上述のような１つ以上の方法を実行する命令を含む。情報媒体は、メモリ９６４、拡張メモリ９７４、またはプロセッサ９５２上のメモリなどのコンピュータ読取り可能媒体または機械読取り可能媒体であり、これは、たとえばトランシーバ９６８または外部インターフェイス９６２上で受信され得る。
【００４２】
デバイス９５０は、必要に応じてデジタル信号処理回路を含み得る通信インターフェイス９６６を介して無線通信し得る。通信インターフェイス９６６は、とりわけ、ＧＳＭ（登録商標）音声通話、ＳＭＳ、ＥＭＳ、またはＭＭＳメッセージング、ＣＤＭＡ、ＴＤＭＡ、ＰＤＣ、ＷＣＤＭＡ（登録商標）、ＣＤＭＡ２０００、またはＧＰＲＳといった、さまざまなモードまたはプロトコル下で通信を提供し得る。このような通信は、たとえば無線周波数トランシーバ９６８を介して実施され得る。さらに、ブルートゥース、Ｗｉ−Ｆｉ、または他のこのようなトランシーバ（図示せず）を用いるなどして、短距離通信が実施され得る。さらに、全地球測位システム（Global Positioning System：ＧＰＳ）レシーバモジュール９７０が付加的なナビゲーション関連および位置関連の無線データをデバイス９５０に提供し得るとともに、当該データはデバイス９５０上で実行されるアプリケーションによって適宜用いられ得る。
【００４３】
また、デバイス９５０は、ユーザから口頭情報を受取って当該情報を使用可能なデジタル情報に変換し得る音声コーデック９６０を用いて可聴的に通信し得る。音声コーデック９６０も同様に、たとえばデバイス９５０のハンドセット内で、スピーカを介するなどしてユーザのために可聴音を生成し得る。そのような音は音声電話からの音を含んでいてもよく、録音された音（例えば音声メッセージ、音楽ファイル等）を含んでいてもよく、さらに、デバイス９５０上で実行されるアプリケーションが生成する音を含んでいてもよい。
【００４４】
コンピューティングデバイス９５０は、図に示すように多数の異なる形態で実現されてもよい。たとえば、コンピューティングデバイス９５０はセルラー電話９８０として実現されてもよい。また、コンピューティングデバイス９５０は、スマートフォン９８２、携帯情報端末、または他の同様のモバイルデバイスの一部として実現されてもよい。
【００４５】
本明細書に記載のシステムおよび技術のさまざまな実現例は、デジタル電子回路、集積回路、特別に設計された特定用途向け集積回路（application specific integrated circuits：ＡＳＩＣ）、コンピュータハードウェア、ファームウェア、ソフトウェア、および／またはそれらの組合せで実現され得る。これらのさまざまな実現例は、少なくとも１つのプログラマブルプロセッサを含むプログラマブルシステム上で実行可能および／または解釈可能な１つ以上のコンピュータプログラムにおける実現例を含んでいてもよく、当該プロセッサは専用であっても汎用であってもよく、ストレージシステム、少なくとも１つの入力デバイス、および少なくとも１つの出力デバイスからデータおよび命令を受信するように、かつこれらにデータおよび命令を送信するように連結されている。
【００４６】
これらのコンピュータプログラム（プログラム、ソフトウェア、ソフトウェアアプリケーションまたはコードとしても知られる）は、プログラム可能なプロセッサのための機械命令を含み、高水準手続き型および／もしくはオブジェクト指向型プログラミング言語で、ならびに／またはアセンブリ／機械言語で、実装することができる。本明細書で用いられる場合、「機械読取り可能媒体」、「コンピュータ読取り可能媒体」といった語は、機械命令を機械読取り可能信号として受信する機械読取り可能媒体を含む、機械命令および／またはデータをプログラマブルプロセッサに提供するのに用いられる任意のコンピュータプログラム製品、装置および／またはデバイス（たとえば、磁気ディスク、光ディスク、メモリ、プログラマブルロジックデバイス（Programmable Logic Device：ＰＬＤ））を指す。「機械読取り可能信号」という語は、機械命令および／またはデータをプログラマブルプロセッサに提供するために用いられる任意の信号を指す。
【００４７】
ユーザとの対話を提供するために、本明細書に記載されるシステムおよび技術は、ユーザに対して情報を表示するためのディスプレイデバイス（たとえば陰極線管（cathode ray tube：ＣＲＴ）または液晶ディスプレイ（liquid crystal display：ＬＣＤ）モニタ）と、ユーザがコンピュータに入力するのに使用し得るキーボードおよびポインティングデバイス（たとえばマウス、トラックボール）とを有するコンピュータ上で実現され得る。他の種類のデバイスが同様に、ユーザとの対話を提供するために用いられ得る。たとえば、ユーザに提供されるフィードバックは、任意の形態の感覚フィードバック（たとえば視覚フィードバック、聴覚フィードバックまたは触覚フィードバック）であり得る。ユーザからの入力は、音響入力、発話入力、または触覚入力を含む任意の形態で受取られ得る。
【００４８】
本明細書に記載されるシステムおよび技術は、バックエンドコンポーネント（たとえば、データサーバ）を含むか、またはミドルウェアコンポーネント（たとえば、アプリケーションサーバ）を含むか、フロントエンドコンポーネント（たとえば、本明細書に記載されるシステムおよび技術の実現例とユーザが対話することを可能にするグラフィカルユーザインターフェイスもしくはウェブブラウザを有するクライアントコンピュータ）を含むか、またはこのようなバックエンドコンポーネント、ミドルウェアコンポーネントもしくはフロントエンドコンポーネントの任意の組合せを含む、コンピューティングシステムにおいて実現され得る。システムのコンポーネントは、デジタルデータ通信（たとえば、通信ネットワーク）の任意の形態または媒体によって相互接続され得る。通信ネットワークの例は、ローカルエリアネットワーク（local area network：ＬＡＮ）、ワイドエリアネットワーク（wide area network：ＷＡＮ）、およびインターネットワークを含む。
【００４９】
コンピューティングシステムはクライアントおよびサーバを含み得る。クライアントとサーバとは一般に互いから遠隔にあり、典型的には通信ネットワークを通じて対話する。クライアントとサーバとの関係は、それぞれのコンピュータ上で実行されるとともに互いに対してクライアント−サーバ関係を有するコンピュータプログラムによって発生する。
【００５０】
いくつかの実現例では、図９に示されるコンピューティングデバイスは、仮想現実（ＶＲヘッドセット／ＨＭＤヘッドセット９９０）とインターフェイスをとるセンサを含み得る。たとえば、図９に示すコンピューティングデバイス９５０または他のコンピューティングデバイスに含まれる１つまたは複数のセンサは、ＶＲヘッドセット９９０に入力を与えるか、または一般に、ＶＲ空間に入力を与えることができる。センサは、タッチスクリーン、加速度計、ジャイロスコープ、圧力センサ、バイオメトリックセンサ、温度センサ、湿度センサ、および周囲光センサを含み得るが、これらに限定されない。コンピューティングデバイス９５０は、センサを用いて、ＶＲ空間内のコンピューティングデバイスの絶対位置および／または検出された回転を判断することができ、それは次いでＶＲ空間への入力として用いることができる。たとえば、コンピューティングデバイス９５０は、コントローラ、レーザポインタ、キーボード、武器などの仮想オブジェクトとしてＶＲ空間に組み込まれてもよい。ＶＲ空間に組み込まれたときのユーザによるコンピューティングデバイス／仮想オブジェクトの位置決めは、ユーザがコンピューティングデバイスを位置決めして、仮想オブジェクトをＶＲ空間内で特定の態様で見ることを可能にすることができる。たとえば、仮想オブジェクトがレーザポインタを表す場合、ユーザは、あたかもそれが実際のレーザポインタであるかのようにコンピューティングデバイスを操作することができる。ユーザは、コンピューティングデバイスを左右、上下、円形などに動かすことができ、レーザポインタを用いるのと同様の態様でコンピューティングデバイスを用いることができる。
【００５１】
いくつかの実現例では、コンピューティングデバイス９５０に含まれるかまたはそれに接続される１つまたは複数の入力デバイスをＶＲ空間への入力として用いることができる。入力デバイスは、タッチスクリーン、キーボード、１つまたは複数のボタン、トラックパッド、タッチパッド、ポインティングデバイス、マウス、トラックボール、ジョイスティック、カメラ、マイク、イヤホンまたは入力機能を有するイヤホンもしくは差込み型小型イヤホン、ゲームコントローラ、またはその他の接続可能な入力デバイスを含み得るが、それらに限定されない。コンピューティングデバイス９５０がＶＲ空間に組み込まれるときに、コンピューティングデバイス９５０に含まれる入力デバイスと対話するユーザは、特定のアクションをＶＲ空間で生じさせることができる。
【００５２】
いくつかの実現例では、コンピューティングデバイス９５０のタッチスクリーンは、ＶＲ空間内でタッチパッドとしてレンダリングすることができる。ユーザは、コンピューティングデバイス９５０のタッチスクリーンと対話することができる。対話は、たとえば、ＶＲヘッドセット９９０において、ＶＲ空間内のレンダリングされたタッチパッド上の動作としてレンダリングされる。レンダリングされた動作は、ＶＲ空間内で仮想オブジェクトを制御することができる。
【００５３】
いくつかの実現例では、コンピューティングデバイス９５０に含まれる１つまたは複数の出力デバイスは、ＶＲ空間においてＶＲヘッドセット９９０のユーザに出力および／またはフィードバックを与えることができる。出力およびフィードバックは、視覚的、戦術的、または音声的であり得る。出力および／またはフィードバックは、振動、１つまたは複数のライトまたはストロボのオンおよびオフまたは明滅および／もしくは点滅、警報の鳴動、チャイムの再生、歌の再生、ならびに音声ファイルの再生を含み得るが、これらに限定されない。出力デバイスは、振動モータ、振動コイル、圧電装置、静電装置、発光ダイオード（light emitting diode：ＬＥＤ）、ストロボ、およびスピーカを含み得るが、これらに限定されない。
【００５４】
いくつかの実現例では、コンピューティングデバイス９５０は、コンピュータにより生成される３Ｄ環境において別のオブジェクトとして現れてもよい。ユーザによるコンピューティングデバイス９５０との対話（たとえば、回転、振動、タッチスクリーンへの接触、指によるタッチスクリーン上でのスワイプ）は、ＶＲ空間内のオブジェクトとの対話として解釈することができる。ＶＲ空間内のレーザポインタの例では、コンピューティングデバイス９５０は、コンピュータにより生成される３Ｄ環境内の仮想レーザポインタとして現れる。ユーザがコンピューティングデバイス９５０を操作すると、ＶＲ空間内のユーザはレーザポインタの動きを見る。ユーザは、ＶＲ空間におけるコンピューティングデバイス９５０との対話からのフィードバックをコンピューティングデバイス９５０またはＶＲヘッドセット９９０上で受け取る。
【００５５】
いくつかの実現例においては、コンピューティングデバイス９５０はタッチスクリーンを含み得る。たとえば、ユーザは、タッチスクリーン上で起こることをＶＲ空間において起こることで模倣することができる特定の態様でタッチスクリーンと対話することができる。たとえば、ユーザは、タッチスクリーン上に表示されるコンテンツをズームするためにつまむタイプの動作を用いてもよい。タッチスクリーン上でのこのようなつまむタイプの動作により、ＶＲ空間に提供された情報をズームさせることができる。別の例においては、コンピューティングデバイスは、コンピュータによって生成される３Ｄ環境における仮想の本としてレンダリングされてもよい。ＶＲ空間においては、本のページはＶＲ空間において表示することができ、タッチスクリーン上でのユーザの指のスワイプは仮想の本のページをめくること／裏返すことと解釈され得る。各々のページがめくられる／裏返されると、ページ内容が変化するのを見ることに加えて、ユーザには、本のページをめくる音などの音声によるフィードバックが提供され得る。
【００５６】
いくつかの実現例では、コンピューティングデバイスに加えて１つまたは複数の入力デバイス（たとえば、マウス、キーボード）を、コンピュータにより生成される３Ｄ環境においてレンダリングすることができる。レンダリングされた入力デバイス（たとえば、レンダリングされたマウス、レンダリングされたキーボード）は、ＶＲ空間内のオブジェクトを制御するためにＶＲ空間内においてレンダリングされる通りに用いることができる。
【００５７】
コンピューティングデバイス９００は、ラップトップ、デスクトップ、ワークステーション、携帯情報端末、サーバ、ブレードサーバ、メインフレーム、および他の適切なコンピュータを含むがこれらに限定されないさまざまな形態のデジタルコンピュータおよびデバイスを表すよう意図されている。コンピューティングデバイス９５０は、携帯情報端末、携帯電話、スマートフォン、および他の同様のコンピューティングデバイスなどの、さまざまな形態のモバイルデバイスを表すよう意図されている。本明細書に示される構成要素、それらの接続および関係、ならびにそれらの機能は、例示的なものにすぎず、本文書に記載および／または特許請求される本発明の実現例を限定するよう意図されたものではない。
【００５８】
多数の実施形態が記載されてきたが、明細書の精神および範囲から逸脱することなく、さまざまな変更がなされ得ることが理解されるであろう。
【００５９】
加えて、図面に示される論理フローは、望ましい結果を達成するために、示された特定の順序または連続する順序を必要としない。さらに、説明されたフローから、他のステップが与えられてもよく、またはステップが削除されてもよく、他の構成要素が、説明されたシステムに追加されてもよく、またはそこから除去されてもよい。したがって、他の実施形態は添付の特許請求の範囲内にある。
【００６０】
例１：ヘッドセットであって、内部の空隙を規定する筐体と、当該筐体の当該内部の空隙に収容された光学部品と、当該筐体の前方部分に回転可能に連結されたフロントフェイスと、当該筐体に対して相対的な閉鎖位置にある当該フロントフェイスを締結する締結装置と、当該筐体の当該前方部分と当該筐体に対して相対的な当該フロントフェイスの当該閉鎖位置にある当該フロントフェイスとの間に規定されたスロットとを備え、当該スロットは、ディスプレイを含むコンピューティングデバイスを収容するように構成され、当該ヘッドセットはさらに、当該フロントフェイスに据付けられた少なくとも１つの近距離無線通信（ＮＦＣ）タグと、当該筐体に取外し可能に連結されたフェイスパッドと、当該筐体に連結された調整可能なヘッドストラップアセンブリとを備える、ヘッドセット。
【００６１】
例２：当該調整可能なヘッドストラップアセンブリは、ヘッドストラップを含み、当該ヘッドストラップは、当該筐体の第１の上方側面部分に連結された第１の端部、および、第１のクリップに連結された第２の端部を有する第１の部分と、当該筐体の第２の上方側面部分に連結された第１の端部分を有する第１の端部、および、第２のクリップに連結された第２の端部を有する第２の部分と、当該ヘッドストラップの当該第１の部分および当該第２の部分が部分的に重なり合う重なり部分とを含む、例１のヘッドセット。
【００６２】
例３：当該第１のクリップは、当該ヘッドストラップの当該第１の部分の当該第２の端部に固定して連結され、当該ヘッドストラップの当該第２の部分は、当該第１のクリップに可動に連結され、当該第２のクリップは、当該ヘッドストラップの当該第２の部分の当該第２の端部に固定して連結され、当該ヘッドストラップの当該第１の部分は、当該第２のクリップに可動に連結され、当該重なり部分は、当該第１のクリップと当該第２のクリップとの間に規定される、例２のヘッドセット。
【００６３】
例４：当該ヘッドストラップは、可撓性があり非弾性的な材料でできている、例１〜例４のうち少なくとも１つのヘッドセット。
【００６４】
例５：当該フェイスパッドを当該筐体に取外し可能に連結する連結機構をさらに備え、当該連結機構は、当該フェイスパッドと当該筐体との間において選択的に係合される複数の面ファスナを含み、当該複数の面ファスナは、当該フェイスパッドの上部外周部分を当該筐体のうち対応する上部内周部分と選択的に係合する第１の面ファスナと、当該フェイスパッドの第１の底部外周部分を当該筐体のうち対応する底部内周部分と選択的に係合する第２の面ファスナと、当該フェイスパッドの第２の底部外周部分を当該筐体のうち対応する底部内周部分と選択的に係合する第３の面ファスナとを含む、例１〜例４のうち少なくとも１つのヘッドセット。
【００６５】
例６：当該フェイスパッドは、当該フェイスパッドの外形を規定する発泡体と、当該発泡体の外面上において位置決めされる織物カバーとを含む、例１から例５のうち少なくとも１つのヘッドセット。
【００６６】
例７：当該フェイスパッドはまた、当該筐体に据付けられた第１の光学レンズに対応する第１の開口部と、当該筐体に据付けられた第２の光学レンズに対応する第２の開口部とを含み、当該第１の開口部の周縁部分は封止され、当該第２の開口部の周縁部分は封止されている、例６のヘッドセット。
【００６７】
例８：当該第１の光学レンズに連結された第１の光学リングと、当該第２の光学レンズに連結された第２の光学リングとをさらに備え、当該フェイスパッドが当該筐体に連結される場合、当該フェイスパッドの当該第１の開口部の封止された当該周縁部分は、当該第１の光学リングによって規定される窪みにおいて連結され、当該フェイスパッドの当該第２の開口部の封止された当該周縁部分は、当該第２の光学リングによって規定される窪みにおいて連結される、例７のヘッドセット。
【００６８】
例９：当該筐体は前面に開口部を含み、当該開口部は、当該筐体の内部において規定される当該空隙と連通しており、当該ヘッドセットはさらに、当該筐体の当該前面上に設けられるとともに当該開口部の周縁に沿って配置された複数の支持パッドを含み、当該複数の支持パッドはシリコーン材料でできている、例１から例８のうち少なくとも１つのヘッドセット。
【００６９】
例１０：当該筐体は前面に開口部を含み、当該開口部は、当該筐体の内部に規定される当該空隙と連通しており、当該ヘッドセットはさらに、当該筐体の当該前面上に設けられた複数の電子パッドを含み、当該複数の電子パッドは、当該開口部の周縁の上部中心部分に位置決めされた第１の電子パッドと、当該開口部の当該周縁の底部中心部分に位置決めされた第２の電子パッドとを含む、例１から例９のうち少なくとも１つのヘッドセット。
【００７０】
例１１：当該第１の電子パッドおよび当該第２の電子パッドは、当該スロットに収容された当該コンピューティングデバイスの当該ディスプレイと接触するとともに、当該ディスプレイの第１の部分および当該ディスプレイの第２の部分を規定するように当該ディスプレイにインデックス付けするように構成される、例１０のヘッドセット。
【００７１】
例１２：当該フロントフェイスの内面に形成された窪みと、当該窪みにおいてコントローラを連結するように構成された連結装置とをさらに含む、例１から例１１のうち少なくとも１つのヘッドセット。
【００７２】
例１３：当該少なくとも１つのＮＦＣタグは、当該フロントフェイスに据付けられた複数のＮＦＣストリップを含み、当該複数のＮＦＣストリップは、当該フロントフェイスにおいて長手方向に配置された第１のＮＦＣストリップと、当該フロントフェイスにおいて長手方向に配置された第２のＮＦＣストリップとを含み、当該第２のＮＦＣストリップは、当該第１のＮＦＣストリップから分離されているとともに当該第１のＮＦＣストリップと平行である、例１から例１２のうち少なくとも１つのヘッドセット。
【００７３】
例１４：当該第１のＮＦＣストリップの向かい合った端部分は、当該フロントフェイスのそれぞれ対応する向かい合った横方向端部分に向かって延在し、当該第２のＮＦＣストリップの向かい合った端部分は、当該フロントフェイスのそれぞれ対応する向かい合った横方向端部分に向かって延在する、例１４のヘッドセット。
【００７４】
例１５：当該第１のＮＦＣストリップの各端部分と、当該フロントフェイスのそれぞれ対応する当該横方向端部分との間の隙間は、当該フロントフェイスの全長の約１５％未満であり、当該第２のＮＦＣストリップの各端部分と、当該フロントフェイスのそれぞれ対応する当該横方向端部分との間の隙間は、当該フロントフェイスの当該全長の約１５％未満である、例１４のヘッドセット。
【００７５】
例１６：当該筐体の周縁部分と当該フロントフェイスの対応する周縁部分とを回転可能に連結するヒンジ機構をさらに備え、当該ヒンジ機構は、ばね荷重ロッドを含み、当該ばね荷重ロッドは、当該スロットに収容された当該コンピューティングデバイスの厚さに基づいて、当該筐体と当該フロントフェイスとの間に規定された当該スロットの幅を調整するように構成される、例１から例１５のうち少なくとも１つのヘッドセット。
【００７６】
例１７：当該締結装置は、当該フロントフェイスの周縁部分に連結された近位端部分を有するストラップと、当該ストラップの遠位端部分に連結されたタブと、当該筐体の外面上に設けられた突起とを含み、当該タブは、当該筐体に対して相対的な閉鎖位置にある当該フロントフェイスを締結するように当該突起に係合するように構成される、例１から例１６のうち少なくとも１つのヘッドセット。
【００７７】
例１８：少なくとも１つの電子タグは、当該少なくとも１つのＮＦＣタグと通信し、アプリケーションを実行するように当該通信装置をトリガし、当該ヘッドセットの特徴を識別し、当該ヘッドセットを構成し、当該コンピューティングデバイスと当該ヘッドセットの当該光学部品との間の通信を容易にし、当該ＮＦＣタグとの通信を容易にするように構成される、例１から例１７のうち少なくとも１つのヘッドセット。
【００７８】
例１９：ヘッドセットであって、内部の空隙を規定する筐体と、当該筐体の当該内部の空隙に配置された光学部品と、当該筐体の前方部分に回転可能に連結されたフロントフェイスと、当該筐体に対して相対的な閉鎖位置にある当該フロントフェイスを締結する締結装置と、当該筐体の当該前方部分と当該筐体に対して相対的な当該フロントフェイスの当該閉鎖位置にある当該フロントフェイスとの間に規定されたスロットとを備え、当該スロットは、ディスプレイを含むコンピューティングデバイスを収容するように構成され、当該ヘッドセットはさらに、当該フロントフェイスに据付けられた複数の近距離無線通信（ＮＦＣ）タグを含み、当該複数の近距離無線通信（ＮＦＣ）タグは、当該フロントフェイスにおいて長手方向に配置された第１のＮＦＣストリップと、当該フロントフェイスにおいて長手方向に配置された第２のＮＦＣストリップとを含み、当該第２のＮＦＣストリップは、当該第１のＮＦＣストリップから分離されているとともに当該第１のＮＦＣストリップと平行に位置合わせされている、ヘッドセット。
【００７９】
例２０：当該複数のＮＦＣタグは、当該スロットに配置されたコンピューティングデバイスを識別し、当該コンピューティングデバイスの識別に応じて、当該コンピューティングデバイスと当該光学部品との間の通信をイネーブルにするように構成される、例１９のヘッドセット。
【００８０】
例２１：ヘッドセットであって、内部の空隙を規定する筐体と、当該筐体の当該内部の空隙に配置された光学部品と、当該筐体の前方部分に回転可能に連結されたフロントフェイスと、当該筐体に対して相対的な閉鎖位置にある当該フロントフェイスを締結する締結装置と、当該筐体の当該前方部分と当該筐体に対して相対的な当該フロントフェイスの当該閉鎖位置にある当該フロントフェイスとの間に規定されたスロットとを備え、当該スロットは、ディスプレイを含むコンピューティングデバイスを収容するように構成され、当該ヘッドセットはさらに、当該筐体の内部において規定された空隙を備え、当該空隙は、当該筐体に当たった状態で当該フロントフェイスの当該閉鎖位置にある当該フロントフェイスによって囲まれており、当該ヘッドセットはさらに、当該フロントフェイスの内面側に規定された窪みを備え、当該フロントフェイスの当該内面側は、当該フロントフェイスが当該筐体に当たった状態で当該閉鎖位置にある場合に当該空隙に面し、当該窪みは、当該フロントフェイスが該筐体に当たった状態で当該閉鎖位置にある状態で、コントローラを当該空隙内への保管のために収容するように構成される、ヘッドセット。
【００８１】
例２２：当該窪みにわたって延在するストラップをさらに備え、当該ストラップは、当該窪みに収容された当該コントローラの位置を保持するように弾性的である、例２１のヘッドセット。
【００８２】
例２３：当該空隙は、当該筐体に配置された当該光学部品と、当該筐体に当たった状態で当該閉鎖位置にある当該フロントフェイスの当該内面側との間に規定される、例２１または２２のヘッドセット。
【００８３】
この明細書に記載の通り、上述の実現例のいくつかの特徴を説明してきたが、当業者であれば、数多くの変形例、代替例、変更例および均等例に想到するであろう。したがって、添付の請求項が、実現例の範囲に含まれるすべてのこのような変形例および変更例を包含することを意図していることが理解されるはずである。これらの実現例は限定ではなく専ら例示を目的として示されており、形態および詳細事項にさまざまな変更が加えられ得ることが理解されるはずである。この明細書中に記載の装置および／または方法のいずれの部分も、相互に相容れない組合わせを除いて、如何なる組合わせでも組合わせられ得る。この明細書中に記載の実現例は、記載されているさまざまな実現例の機能、構成要素および／または特徴の、さまざまな組合わせおよび／または下位の組合わせを含み得る。
【図１Ａ】
2019532341.tif 000003
【図１Ｂ】
2019532341.tif 000004
【図１Ｃ】
2019532341.tif 000005
【図１Ｄ】
2019532341.tif 000006
【図１Ｅ】
2019532341.tif 000007
【図１Ｆ】
2019532341.tif 000008
【図２Ａ】
2019532341.tif 000009
【図２Ｂ】
2019532341.tif 000010
【図２Ｃ】
2019532341.tif 000011
【図３Ａ】
2019532341.tif 000012
【図３Ｂ】
2019532341.tif 000013
【図３Ｃ】
2019532341.tif 000014
【図３Ｄ】
2019532341.tif 000015
【図３Ｅ】
2019532341.tif 000016
【図３Ｆ】
2019532341.tif 000017
【図３Ｇ】
2019532341.tif 000018
【図３Ｈ】
2019532341.tif 000019
【図３Ｉ】
2019532341.tif 000020
【図３Ｊ】
2019532341.tif 000021
【図４Ａ】
2019532341.tif 000022
【図４Ｂ】
2019532341.tif 000023
【図４Ｃ】
2019532341.tif 000024
【図５】
2019532341.tif 000025
【図６Ａ】
2019532341.tif 000026
【図６Ｂ】
2019532341.tif 000027
【図６Ｃ】
2019532341.tif 000028
【図７】
2019532341.tif 000029
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
ヘッドセットであって、
内部の空隙を規定する筐体と、
前記筐体の前記内部の空隙に配置された光学部品と、
前記筐体の前方部分に回転可能に連結されたフロントフェイスと、
前記筐体に対して相対的な閉鎖位置にある前記フロントフェイスを締結する締結装置と、
前記筐体の前記前方部分と前記筐体に対して相対的な前記フロントフェイスの前記閉鎖位置にある前記フロントフェイスとの間に規定されたスロットとを備え、前記スロットは、ディスプレイを含むコンピューティングデバイスを収容するように構成され、前記ヘッドセットはさらに、
前記フロントフェイスに配置された少なくとも１つの近距離無線通信（ＮＦＣ）タグと、
前記筐体に取外し可能に連結されたフェイスパッドと、
前記筐体に連結された調整可能なヘッドストラップアセンブリとを備える、ヘッドセット。
【請求項２】
前記調整可能なヘッドストラップアセンブリは、ヘッドストラップを含み、前記ヘッドストラップは、
前記筐体の第１の上方側面部分に連結された第１の端部、および、第１のクリップに連結された第２の端部を有する第１の部分と、
前記筐体の第２の上方側面部分に連結された第１の端部、および、第２のクリップに連結された第２の端部を有する第２の部分と、
前記ヘッドストラップの前記第１の部分および前記第２の部分が部分的に重なり合う重なり部分とを含む、請求項１に記載のヘッドセット。
【請求項３】
前記第１のクリップは、前記ヘッドストラップの前記第１の部分の前記第２の端部に固定して連結され、前記ヘッドストラップの前記第２の部分は、前記第１のクリップに可動に連結され、
前記第２のクリップは、前記ヘッドストラップの前記第２の部分の前記第２の端部に固定して連結され、前記ヘッドストラップの前記第１の部分は、前記第２のクリップに可動に連結され、
前記重なり部分は、前記第１のクリップと前記第２のクリップとの間に規定される、請求項２に記載のヘッドセット。
【請求項４】
前記ヘッドストラップは、可撓性があり非弾性的な材料でできている、請求項２または３に記載のヘッドセット。
【請求項５】
前記フェイスパッドを前記筐体に取外し可能に連結する連結機構をさらに備え、前記連結機構は、前記フェイスパッドと前記筐体との間において選択的に係合される複数の面ファスナを含み、前記複数の面ファスナは、
前記フェイスパッドの上部外周部分を前記筐体のうち対応する上部内周部分と選択的に係合する第１の面ファスナと、
前記フェイスパッドの第１の底部外周部分を前記筐体のうち対応する底部内周部分と選択的に係合する第２の面ファスナと、
前記フェイスパッドの第２の底部外周部分を前記筐体のうち対応する底部内周部分と選択的に係合する第３の面ファスナとを含む、請求項１〜４のいずれかに記載のヘッドセット。
【請求項６】
前記フェイスパッドは、
前記フェイスパッドの外形を規定する発泡体と、
前記発泡体の外面上において位置決めされる織物カバーとを含む、請求項１〜５のいずれかに記載のヘッドセット。
【請求項７】
前記フェイスパッドはまた、
前記筐体に据付けられた第１の光学レンズに対応する第１の開口部と、
前記筐体に据付けられた第２の光学レンズに対応する第２の開口部とを含み、
前記第１の開口部の周縁部分は封止され、前記第２の開口部の周縁部分は封止されている、請求項６に記載のヘッドセット。
【請求項８】
前記第１の光学レンズに連結された第１の光学リングと、
前記第２の光学レンズに連結された第２の光学リングとをさらに備え、
前記フェイスパッドが前記筐体に連結される場合、前記フェイスパッドの前記第１の開口部の封止された前記周縁部分は、前記第１の光学リングによって規定される窪みにおいて連結され、前記フェイスパッドの前記第２の開口部の封止された前記周縁部分は、前記第２の光学リングによって規定される窪みにおいて連結される、請求項７に記載のヘッドセット。
【請求項９】
前記筐体は前面に開口部を含み、前記開口部は、前記筐体の内部において規定される前記空隙と連通しており、前記ヘッドセットはさらに、前記筐体の前記前面上に設けられるとともに前記開口部の周縁に沿って配置された複数の支持パッドを含み、前記複数の支持パッドはシリコーン材料でできている、請求項１〜８のいずれかに記載のヘッドセット。
【請求項１０】
前記筐体は前面に開口部を含み、前記開口部は、前記筐体の内部に規定される前記空隙と連通しており、前記ヘッドセットはさらに、前記筐体の前記前面上に設けられた複数の電子パッドを含み、前記複数の電子パッドは、
前記開口部の周縁の上部中心部分に位置決めされた第１の電子パッドと、
前記開口部の前記周縁の底部中心部分に位置決めされた第２の電子パッドとを含む、請求項１〜９のいずれかに記載のヘッドセット。
【請求項１１】
前記第１の電子パッドおよび前記第２の電子パッドは、前記スロットに収容された前記コンピューティングデバイスの前記ディスプレイと接触するとともに、前記ディスプレイの第１の部分および前記ディスプレイの第２の部分を規定するように前記ディスプレイにインデックス付けするように構成される、請求項１０に記載のヘッドセット。
【請求項１２】
前記フロントフェイスの内面に形成された窪みと、
前記窪みにおいてコントローラを連結するように構成された連結装置とをさらに含む、請求項１〜１１のいずれかに記載のヘッドセット。
【請求項１３】
前記少なくとも１つのＮＦＣタグは、前記フロントフェイスに据付けられた複数のＮＦＣストリップを含み、前記複数のＮＦＣストリップは、
前記フロントフェイスにおいて長手方向に配置された第１のＮＦＣストリップと、
前記フロントフェイスにおいて長手方向に配置された第２のＮＦＣストリップとを含み、前記第２のＮＦＣストリップは、前記第１のＮＦＣストリップから分離されているとともに前記第１のＮＦＣストリップと平行に位置合わせされている、請求項１〜１２のいずれかに記載のヘッドセット。
【請求項１４】
前記第１のＮＦＣストリップの向かい合った端部分は、前記フロントフェイスのそれぞれ対応する向かい合った横方向端部分に向かって延在し、
前記第２のＮＦＣストリップの向かい合った端部分は、前記フロントフェイスのそれぞ
れ対応する向かい合った横方向端部分に向かって延在する、請求項１３に記載のヘッドセット。
【請求項１５】
前記第１のＮＦＣストリップの各端部分と、前記フロントフェイスのそれぞれ対応する前記横方向端部分との間の隙間は、前記フロントフェイスの全長の約１５％未満であり、
前記第２のＮＦＣストリップの各端部分と、前記フロントフェイスのそれぞれ対応する前記横方向端部分との間の隙間は、前記フロントフェイスの前記全長の約１５％未満である、請求項１４に記載のヘッドセット。
【請求項１６】
前記筐体の周縁部分と前記フロントフェイスの対応する周縁部分とを回転可能に連結するヒンジ機構をさらに備え、前記ヒンジ機構は、ばね荷重ロッドを含み、前記ばね荷重ロッドは、前記スロットに収容された前記コンピューティングデバイスの厚さに基づいて、前記筐体と前記フロントフェイスとの間に規定された前記スロットの幅を調整するように構成される、請求項１〜１５のいずれかに記載のヘッドセット。
【請求項１７】
前記締結装置は、
前記フロントフェイスの周縁部分に連結された近位端部分を有するストラップと、
前記ストラップの遠位端部分に連結されたタブと、
前記筐体の外面上に設けられた突起とを含み、前記タブは、前記筐体に対して相対的な閉鎖位置にある前記フロントフェイスを締結するように前記突起に係合するように構成される、請求項１〜１６のいずれかに記載のヘッドセット。
【請求項１８】
前記フロントフェイスに配置された前記少なくとも１つのＮＦＣタグは、前記スロットに配置された前記コンピューティングデバイスの少なくとも１つのＮＦＣタグと通信するか、アプリケーションを実行するように前記コンピューティングデバイスをトリガするか、前記ヘッドセットの特徴を識別するか、前記ヘッドセットを構成するか、または、前記コンピューティングデバイスと前記ヘッドセットの前記光学部品との間の通信を容易にするように構成される、請求項１〜１７のいずれかに記載のヘッドセット。
【請求項１９】
ヘッドセットであって、
内部の空隙を規定する筐体と、
前記筐体の前記内部の空隙に配置された光学部品と、
前記筐体の前方部分に回転可能に連結されたフロントフェイスと、
前記筐体に対して相対的な閉鎖位置にある前記フロントフェイスを締結する締結装置と、
前記筐体の前記前方部分と前記筐体に対して相対的な前記フロントフェイスの前記閉鎖位置にある前記フロントフェイスとの間に規定されたスロットとを備え、前記スロットは、ディスプレイを含むコンピューティングデバイスを収容するように構成され、前記ヘッドセットはさらに、
前記フロントフェイスに据付けられた複数の近距離無線通信（ＮＦＣ）タグを含み、前記複数の近距離無線通信（ＮＦＣ）タグは、
前記フロントフェイスにおいて長手方向に配置された第１のＮＦＣストリップと、
前記フロントフェイスにおいて長手方向に配置された第２のＮＦＣストリップとを含み、前記第２のＮＦＣストリップは、前記第１のＮＦＣストリップから分離されているとともに前記第１のＮＦＣストリップと平行に位置合わせされている、ヘッドセット。
【請求項２０】
前記複数のＮＦＣタグは、前記スロットに配置されたコンピューティングデバイスを識別し、前記コンピューティングデバイスの識別に応じて、前記コンピューティングデバイスと前記光学部品との間の通信をイネーブルにするように構成される、請求項１９に記載のヘッドセット。
【請求項２１】
ヘッドセットであって、
内部の空隙を規定する筐体と、
前記筐体の前記内部の空隙に配置された光学部品と、
前記筐体の前方部分に回転可能に連結されたフロントフェイスと、
前記筐体に対して相対的な閉鎖位置にある前記フロントフェイスを締結する締結装置と、
前記筐体の前記前方部分と前記筐体に対して相対的な前記フロントフェイスの前記閉鎖位置にある前記フロントフェイスとの間に規定されたスロットとを備え、前記スロットは、ディスプレイを含むコンピューティングデバイスを収容するように構成され、前記ヘッドセットはさらに、
前記筐体の内部において規定された空隙を備え、前記空隙は、前記筐体に当たった状態で前記フロントフェイスの前記閉鎖位置にある前記フロントフェイスによって囲まれており、前記ヘッドセットはさらに、
前記フロントフェイスの内面側に規定された窪みを備え、前記フロントフェイスの前記内面側は、前記フロントフェイスが前記筐体に当たった状態で前記閉鎖位置にある場合に前記空隙に面し、前記窪みは、前記フロントフェイスが前記筐体に当たった状態で前記閉鎖位置にある状態で、コントローラを前記空隙内への保管のために収容するように構成される、ヘッドセット。
【請求項２２】
前記窪みにわたって延在するストラップをさらに備え、前記ストラップは、前記窪みに収容された前記コントローラの位置を保持するように弾性的である、請求項２１に記載のヘッドセット。
【請求項２３】
前記空隙は、前記筐体に配置された前記光学部品と、前記筐体に当たった状態で前記閉鎖位置にある前記フロントフェイスの前記内面側との間に規定される、請求項２１または２２に記載のヘッドセット。
【手続補正２】
【補正対象書類名】明細書
【補正対象項目名】０００９
【補正方法】変更
【補正の内容】
【０００９】
図２Ａ〜図２Ｃにより詳細に示されるように、調整可能なヘッドストラップアセンブリは、ユーザの頭上にヘッドセット１００を調整可能に位置決めするために筐体１２０に連結されてもよい。調整可能なヘッドストラップアセンブリはヘッドストラップ１２５を含み得る。ヘッドストラップ１２５は、筐体１２０の第１の上方側面部分に連結された第１の部分１２５Ａと、筐体１２０の第２の上方側面部分に連結された第２の部分１２５Ｂとを有し得る。いくつかの実現例においては、ヘッドセット１００の筐体１２０に対する相対的なヘッドストラップ１２５の取付け（たとえば、筐体１２０に対する相対的なヘッドストラップ１２５の位置および／または向き）は、ヘッドセット１００をユーザの頭上に人間工学的に位置決めすることを可能にし得る。たとえば、筐体１２０に対して相対的にヘッドストラップ１２５を位置決めおよび／または方向付けすることにより、ユーザの頭（または顔）上にヘッドセット１００を人間工学的に位置決めすることが可能となり、より快適で、没入型のユーザ経験が提供され得る。たとえば、筐体１２０に対して相対的にヘッドストラップ１２５を位置決めおよび／または方向付けすることにより、ヘッドセット１００の重量を分散させ得る。これにより、ヘッドセット１００の比較的より多くの重量がユーザの額の上で支えられることとなり、ユーザの鼻および／または頬に掛かる圧力／重量が比較的より少なくなる。これにより、ヘッドセット１００がユーザの顔により快適にフィットし得る。いくつかの実現例においては、筐体１２０に対して相対的にヘッドストラップ１２５を位置決めおよび／または方向付けすることにより、筐体１２０に据付けられた１対の光学レンズ１１０とユーザの眼を適切に位置合わせすることが容易になり得る。
【手続補正３】
【補正対象書類名】明細書
【補正対象項目名】００１１
【補正方法】変更
【補正の内容】
【００１１】
いくつかの実現例においては、１つ以上の調整機構１２６がヘッドストラップ１２５上に連結されてもよい。１つ以上の調整機構１２６は、たとえば、ユーザの頭のサイズおよび／または輪郭に基づいてヘッドストラップ１２５の長さを調整することを可能にし得る。いくつかの実現例においては、１つ以上の調整機構１２６は、たとえば、上下二連型のクリップであってもよく、これによって、ヘッドストラップ１２５の第１の端部１２５Ａと第２の端部１２５Ｂとの重なり部分１２５Ｃを調整し得る（たとえば、図３Ｃ、図４Ａおよび図４Ｂを参照）。たとえば、ヘッドストラップ１２５の第１の部分１２５Ａの第２の端部が、２個のクリップ１２６のうちの第１のクリップに固定して連結されてもよく、ヘッドストラップ１２５の第２の部分１２５Ｂが、２個のクリップ１２６のうちの第１のクリップに可動に連結されてもよい。同様に、ヘッドストラップ１２５の第２の部分１２５Ｂの第２の端部が、２個のクリップ１２６のうちの第２のクリップに固定して連結されてもよく、ヘッドストラップ１２５の第１の部分１２５Ａが２個のクリップ１２６のうちの第２のクリップに可動に連結されてもよい。これにより、クリップ１２６がヘッドストラップ１２５の第１の部分１２５Ａおよび第２部分１２５Ｂに沿って摺動するのに応じてヘッドストラップ１２５の全長を調整することが可能となり得るので、ユーザの頭上におけるヘッドセット１００の適切な位置と、ユーザの眼に対するヘッドセット１００の光学要素（たとえば、光学レンズ１１０）の適切な位置とを確保するのに役立ち得る。いくつかの実現例においては、ヘッドストラップ１２５は、いくらか可撓性のある材料でできていてもよく、これにより、ヘッドストラップ１２５をユーザの頭の形状に適合させることが可能となり得る。ヘッドストラップ１２５は比較的非弾性的であってもよく、または弾性がほとんどもしくは全くなくてもよい。このように弾性がない（または伸張しない）ことは、ユーザがヘッドセット１００を適所に保持してクリップ１２６を動かすことによりヘッドストラップ１２５の嵌まり具合を調整した後に、ヘッドセット１００の位置を安定させたりヘッドセット１００が動くのを防いだりするのに役立ち得る。たとえば、ヘッドストラップ１２５は、可撓性のある織布、編布または網目布でできていてもよく、ヘッドストラップ１２５がユーザの頭の形状に適合することを可能にし得るが、比較的非弾性的であるため、（たとえば、クリップ１２６の調整によって）ヘッドストラップ１２５が固定されると、ヘッドセット１００がその位置に留まって移動しなくなる。
【手続補正４】
【補正対象書類名】明細書
【補正対象項目名】００１３
【補正方法】変更
【補正の内容】
【００１３】
図３Ａ〜図３Ｊは、ヘッドセット１００の筐体１２０からのフェイスパッド１４０の取外しと、ヘッドセット１００の筐体１２０へのフェイスパッド１４０の交換とを含む、ヘッドセット１００の取外し可能なフェイスパッド１４０を示すさまざまな図である。特に、図３Ａ〜図３Ｃ、図３Ｉおよび図３Ｊは、ヘッドセット１００の筐体１２０から取外されたかまたは分離されたフェイスパッド１４０を示す。図３Ｄ〜図３Ｇは、ヘッドセット１００の筐体１２０へのフェイスパッド１４０の連結を示す。図３Ｈ〜図３Ｊは、ヘッドセット１００の筐体１２０からのフェイスパッド１４０の取外しを示す。図３Ａ〜図３Ｊに示されるように、フェイスパッド１４０の取外しおよび交換は、ヘッドセット１００のうち、本質的に後方に面する側全体またはユーザに面する側全体の取外しおよび交換を含む。フェイスパッド１４０は、ヘッドセット１００のうち、ユーザ（特にユーザの顔）と直接接触する、ユーザとのインターフェイスを規定する。ヘッドセット１００のうち、ユーザと直接接触する本質的にこの後方に面する側全体を取外すことで、ヘッドセット１００の使用がより衛生的になり得るとともに、ヘッドセット／ユーザインターフェイスを特定のユーザに合うように調整することが可能になり得る。
【手続補正５】
【補正対象書類名】明細書
【補正対象項目名】００６１
【補正方法】変更
【補正の内容】
【００６１】
例２：当該調整可能なヘッドストラップアセンブリは、ヘッドストラップを含み、当該ヘッドストラップは、当該筐体の第１の上方側面部分に連結された第１の端部、および、第１のクリップに連結された第２の端部を有する第１の部分と、当該筐体の第２の上方側面部分に連結された第１の端部、および、第２のクリップに連結された第２の端部を有する第２の部分と、当該ヘッドストラップの当該第１の部分および当該第２の部分が部分的に重なり合う重なり部分とを含む、例１のヘッドセット。
【国際調査報告】
2019532341.tif 000030
2019532341.tif 000031
2019532341.tif 000032
2019532341.tif 000033
2019532341.tif 000034